(57)【要約】【課題】管理対象情報を効率的に配信することが可能な技術を提供する。【解決手段】複数の管理対象情報のうち、画像処理装置（たとえばＭＦＰ１０ａ）における特定の動作（プリントジョブの実行動作等）の後に当該ＭＦＰ１０ａにて実行されると推定される動作（たとえば、コピージョブの実行動作）に関連付けられた管理対象情報（コピー設定画面データ）であって当該プリントジョブの実行指示を付与した指示ユーザ（Ｕ１）に関する管理対象情報が、当該ＭＦＰ１０ａへと配信されるべき配信情報として決定される。そして、当該ＭＦＰ１０ａにおける当該特定の動作の実行に際して、決定された配信情報（ユーザＵ１に関するコピー設定画面データ）が当該ＭＦＰ１０ａに配信されて格納される。【選択図】図４
2019096951.tif 000002
【特許請求の範囲】
【請求項１】
情報処理装置であって、
前記情報処理装置から配信される管理対象情報の配信先装置である画像処理装置にて実行される特定の動作の実行指令の前記画像処理装置への送信に際して、前記画像処理装置にて実行することが可能な複数の動作のそれぞれと関連付けて管理される複数の管理対象情報のうち前記画像処理装置へと配信されるべき配信情報を決定する決定手段と、
前記画像処理装置への前記実行指令の送信に際して、前記決定手段によって決定された前記配信情報を前記画像処理装置に送信して前記画像処理装置に格納させる通信手段と、
を備え、
前記決定手段は、前記複数の管理対象情報のうち、前記画像処理装置における前記特定の動作の後に前記画像処理装置にて実行されると推定される動作である推定実行動作に関連付けられた管理対象情報であって前記特定の動作の実行指示を付与した指示ユーザに関する管理対象情報を、前記配信情報として決定することを特徴とする情報処理装置。
【請求項２】
請求項１に記載の情報処理装置において、
前記決定手段は、前記複数の管理対象情報のうち、前記推定実行動作として前記特定の動作に応じて予め定められた動作に関連付けられた管理対象情報であって前記指示ユーザに関する管理対象情報を、前記配信情報として決定することを特徴とする情報処理装置。
【請求項３】
請求項１または請求項２に記載の情報処理装置において、
前記通信手段は、前記画像処理装置への前記実行指令の送信に際して、前記画像処理装置におけるジョブの実行状況を前記画像処理装置から受信し、
前記決定手段は、
前記画像処理装置が前記特定の動作に係るジョブとは別のジョブの実行中である旨が判定される場合、前記実行指令の送信に際して前記配信情報を前記画像処理装置に送信すべきでない旨を決定し、
前記画像処理装置が前記特定の動作に係るジョブとは別のジョブの実行中でない旨が判定される場合、前記実行指令の送信に際して前記配信情報を前記画像処理装置に送信すべき旨を決定することを特徴とする情報処理装置。
【請求項４】
請求項１から請求項３のいずれかに記載の情報処理装置において、
前記決定手段は、
所定程度よりも高い負荷状態である高負荷状態へと前記画像処理装置が前記特定の動作の実行に起因して遷移するか否か、を前記画像処理装置への前記実行指令の送信に際して判定し、
前記画像処理装置が前記高負荷状態へと遷移すると判定される場合、前記実行指令の送信に際して前記配信情報を前記画像処理装置に送信すべきでない旨を決定し、
前記画像処理装置が前記高負荷状態へと遷移しないと判定される場合、前記実行指令の送信に際して前記配信情報を前記画像処理装置に送信すべき旨を決定することを特徴とする情報処理装置。
【請求項５】
請求項４に記載の情報処理装置において、
前記特定の動作は、プリントジョブの実行動作であり、
前記決定手段は、前記プリントジョブに係る印刷対象データのデータ量が所定値よりも大きい場合、前記特定の動作の実行に起因して前記画像処理装置が前記高負荷状態へと遷移する旨を判定することを特徴とする情報処理装置。
【請求項６】
請求項４に記載の情報処理装置において、
前記特定の動作は、プリントジョブの実行動作であり、
前記決定手段は、前記プリントジョブに係る印刷対象データのページ数が所定数よりも多い場合、前記特定の動作の実行に起因して前記画像処理装置が前記高負荷状態へと遷移する旨を判定することを特徴とする情報処理装置。
【請求項７】
請求項１から請求項６のいずれかに記載の情報処理装置において、
前記情報処理装置は、前記複数の管理対象情報を管理する管理装置とは異なる装置であるとともに、前記実行指令の送信元装置であり、
前記決定手段は、前記情報処理装置から前記画像処理装置への前記実行指令の送信に際して、前記配信情報を決定し、
前記通信手段は、前記情報処理装置から前記画像処理装置への前記実行指令の送信に際して、前記配信情報を前記管理装置から取得して前記画像処理装置に送信することを特徴とする情報処理装置。
【請求項８】
請求項７に記載の情報処理装置において、
前記通信手段は、前記画像処理装置への前記実行指令の送信に際して、前記画像処理装置の電源状態を取得し、
前記決定手段は、
前記画像処理装置の電源状態が通常状態である場合、前記実行指令を前記配信情報よりも先行して前記画像処理装置に送信すべき旨を決定し、
前記画像処理装置の電源状態がスリープ状態である場合、前記配信情報を前記実行指令よりも先行して前記画像処理装置に送信すべき旨を決定することを特徴とする情報処理装置。
【請求項９】
請求項１から請求項６のいずれかに記載の情報処理装置において、
前記情報処理装置は、前記実行指令の送信元装置とは異なる装置であるとともに、前記複数の管理対象情報を管理する管理装置であり、
前記通信手段は、前記送信元装置から前記画像処理装置への前記実行指令の送信に際して、前記実行指令を前記送信元装置から前記画像処理装置へと送信する旨の指令送信通知を前記送信元装置から受信し、
前記決定手段は、前記送信元装置からの前記指令送信通知に応答して、前記配信情報を決定し、
前記通信手段は、前記指令送信通知に応答して、前記決定手段によって決定された前記配信情報を前記画像処理装置に送信することを特徴とする情報処理装置。
【請求項１０】
請求項１から請求項９のいずれかに記載の情報処理装置において、
前記複数の管理対象情報は、ユーザごとに管理されており、
前記決定手段は、前記複数の管理対象情報のうち、前記推定実行動作に関連付けられた管理対象情報であって前記指示ユーザの管理対象情報を、前記配信情報として決定することを特徴とする情報処理装置。
【請求項１１】
請求項１から請求項９のいずれかに記載の情報処理装置において、
前記複数の管理対象情報は、グループごとに管理されており、
前記決定手段は、前記複数の管理対象情報のうち、前記推定実行動作に関連付けられた管理対象情報であって前記指示ユーザの所属グループの管理対象情報を、前記配信情報として決定することを特徴とする情報処理装置。
【請求項１２】
画像処理装置であって、
前記画像処理装置における特定の動作の実行に際して、前記画像処理装置にて実行することが可能な複数の動作のそれぞれと関連付けて管理される複数の管理対象情報のうち前記画像処理装置へと配信されるべき配信情報を決定する決定手段と、
前記特定の動作の実行に際して、前記決定手段によって決定された前記配信情報の送信要求を管理対象情報の配信元装置に対して送信して前記配信情報を前記配信元装置から取得する通信手段と、
取得された前記配信情報を前記画像処理装置に格納する格納手段と、
を備え、
前記決定手段は、前記複数の管理対象情報のうち、前記特定の動作の後に前記画像処理装置にて実行されると推定される動作である推定実行動作に関連付けられた管理対象情報であって前記特定の動作の実行指示を付与した指示ユーザに関する管理対象情報を、前記配信情報として決定することを特徴とする画像処理装置。
【請求項１３】
請求項１２に記載の画像処理装置において、
前記決定手段は、前記複数の管理対象情報のうち、前記推定実行動作として前記特定の動作に応じて予め定められた動作に関連付けられた管理対象情報であって前記指示ユーザに関する管理対象情報を、前記配信情報として決定することを特徴とする画像処理装置。
【請求項１４】
請求項１２に記載の画像処理装置において、
前記決定手段は、前記複数の動作のうち、前記指示ユーザによる実行指示の付与履歴を有する動作を、前記推定実行動作として決定するとともに、前記管理対象情報のうち、前記推定実行動作として決定された動作に関連付けられた管理対象情報であって前記指示ユーザに関する管理対象情報を、前記配信情報として決定することを特徴とする画像処理装置。
【請求項１５】
請求項１２から請求項１４のいずれかに記載の画像処理装置において、
前記決定手段は、
前記特定の動作の実行に際して、前記画像処理装置におけるジョブの実行状況を判定し、
前記画像処理装置が前記特定の動作に係るジョブとは別のジョブの実行中である旨が判定される場合、前記特定の動作の実行に際して前記配信情報を取得すべきでない旨を決定し、
前記画像処理装置が前記特定の動作に係るジョブとは別のジョブの実行中でない旨が判定される場合、前記特定の動作の実行に際して前記配信情報を取得すべき旨を決定することを特徴とする画像処理装置。
【請求項１６】
請求項１２から請求項１５のいずれかに記載の画像処理装置において、
前記決定手段は、
所定程度よりも高い負荷状態である高負荷状態へと前記特定の動作の実行に起因して前記画像処理装置が遷移するか否か、を前記特定の動作の実行に際して判定し、
前記画像処理装置が前記高負荷状態へと遷移すると判定される場合、前記特定の動作の実行に際して前記配信情報を取得すべきでない旨を決定し、
前記画像処理装置が前記高負荷状態へと遷移しないと判定される場合、前記特定の動作の実行に際して前記配信情報を取得すべき旨を決定することを特徴とする画像処理装置。
【請求項１７】
請求項１６に記載の画像処理装置において、
前記特定の動作は、プリントジョブの実行動作であり、
前記決定手段は、前記プリントジョブに係る印刷対象データのデータ量が所定値よりも大きい場合、前記特定の動作の実行に起因して前記画像処理装置が前記高負荷状態へと遷移する旨を判定することを特徴とする画像処理装置。
【請求項１８】
請求項１６に記載の画像処理装置において、
前記特定の動作は、プリントジョブの実行動作であり、
前記決定手段は、前記プリントジョブに係る印刷対象データのページ数が所定数よりも多い場合、前記特定の動作の実行に起因して前記画像処理装置が前記高負荷状態へと遷移する旨を判定することを特徴とする画像処理装置。
【請求項１９】
請求項１２から請求項１８のいずれかに記載の画像処理装置において、
前記複数の管理対象情報は、ユーザごとに管理されており、
前記決定手段は、前記複数の管理対象情報のうち、前記推定実行動作に関連付けられた管理対象情報であって前記指示ユーザの管理対象情報を、前記配信情報として決定することを特徴とする画像処理装置。
【請求項２０】
請求項１２から請求項１８のいずれかに記載の画像処理装置において、
前記複数の管理対象情報は、グループごとに管理されており、
前記決定手段は、前記複数の管理対象情報のうち、前記推定実行動作に関連付けられた管理対象情報であって前記指示ユーザの所属グループの管理対象情報を、前記配信情報として決定することを特徴とする画像処理装置。
【請求項２１】
情報処理装置の制御方法であって、
ａ）前記情報処理装置から配信される管理対象情報の配信先装置である画像処理装置にて実行される特定の動作の実行指令の前記画像処理装置への送信に際して、前記画像処理装置にて実行することが可能な複数の動作のそれぞれと関連付けて管理される複数の管理対象情報のうち前記画像処理装置へと配信されるべき配信情報を決定するステップと、
ｂ）前記画像処理装置への前記実行指令の送信に際して、前記ステップａ）にて決定された前記配信情報を前記画像処理装置に送信して前記画像処理装置に格納させるステップと、
を備え、
前記ステップａ）においては、前記複数の管理対象情報のうち、前記画像処理装置における前記特定の動作の後に前記画像処理装置にて実行されると推定される動作である推定実行動作に関連付けられた管理対象情報であって前記特定の動作の実行指示を付与した指示ユーザに関する管理対象情報が、前記配信情報として決定されることを特徴とする、情報処理装置の制御方法。
【請求項２２】
請求項２１に記載の制御方法を、前記情報処理装置を制御するコンピュータに実行させるプログラム。
【請求項２３】
画像処理装置の制御方法であって、
ａ）前記画像処理装置における特定の動作の実行に際して、前記画像処理装置にて実行することが可能な複数の動作のそれぞれと関連付けて管理される複数の管理対象情報のうち前記画像処理装置へと配信されるべき配信情報を決定するステップと、
ｂ）前記特定の動作の実行に際して、前記ステップａ）にて決定された前記配信情報の送信要求を管理対象情報の配信元装置に対して送信して前記配信情報を前記配信元装置から取得するステップと、
ｃ）前記ステップｂ）にて取得された前記配信情報を前記画像処理装置に格納するステップと、
を備え、
前記ステップａ）においては、前記複数の管理対象情報のうち、前記特定の動作の後に前記画像処理装置にて実行されると推定される動作である推定実行動作に関連付けられた管理対象情報であって前記特定の動作の実行指示を付与した指示ユーザに関する管理対象情報が、前記配信情報として決定されることを特徴とする、画像処理装置の制御方法。
【請求項２４】
請求項２３に記載の制御方法を、前記画像処理装置を制御するコンピュータに実行させるプログラム。
【請求項２５】
情報配信システムであって、
情報処理装置と、
前記情報処理装置から配信される管理対象情報の配信先装置である画像処理装置と、
を備え、
前記情報処理装置は、
前記画像処理装置にて実行される特定の動作の実行指令の前記画像処理装置への送信に際して、前記画像処理装置にて実行することが可能な複数の動作のそれぞれと関連付けて管理される複数の管理対象情報のうち前記画像処理装置へと配信されるべき配信情報を決定する決定手段と、
前記画像処理装置への前記実行指令の送信に際して、前記決定手段によって決定された前記配信情報を前記画像処理装置に送信する通信手段と、
を有し、
前記画像処理装置は、
前記配信情報を前記情報処理装置から受信する受信手段と、
前記情報処理装置から受信された前記配信情報を前記画像処理装置に格納する格納手段と、
を有し、
前記決定手段は、前記複数の管理対象情報のうち、前記画像処理装置における前記特定の動作の後に前記画像処理装置にて実行されると推定される動作である推定実行動作に関連付けられた管理対象情報であって前記特定の動作の実行指示を付与した指示ユーザに関する管理対象情報を、前記配信情報として決定することを特徴とする情報配信システム。
【請求項２６】
情報配信システムであって、
画像処理装置と、
前記画像処理装置へと配信される管理対象情報の配信元装置と、
を備え、
前記画像処理装置は、
前記画像処理装置における特定の動作の実行に際して、前記画像処理装置にて実行することが可能な複数の動作のそれぞれと関連付けて管理される複数の管理対象情報のうち前記画像処理装置へと配信されるべき配信情報を決定する決定手段と、
前記特定の動作の実行に際して、前記決定手段によって決定された前記配信情報の送信要求を前記配信元装置に対して送信して前記配信情報を前記配信元装置から取得する通信手段と、
取得された前記配信情報を前記画像処理装置に格納する格納手段と、
を有し、
前記決定手段は、前記複数の管理対象情報のうち、前記特定の動作の後に前記画像処理装置にて実行されると推定される動作である推定実行動作に関連付けられた管理対象情報であって前記特定の動作の実行指示を付与した指示ユーザに関する管理対象情報を、前記配信情報として決定することを特徴とする情報配信システム。
【発明の詳細な説明】
【技術分野】
【０００１】
本発明は、ＭＦＰ（マルチ・ファンクション・ペリフェラル（Multi-Functional Peripheral））などの画像処理装置への管理対象情報の配信技術に関する。
【背景技術】
【０００２】
画像処理装置にて利用され得る管理対象情報（たとえば、各種ジョブに関する設定画面データ）を当該画像処理装置へと配信する技術が存在する。
【０００３】
たとえば、特許文献１には、サーバ装置等の管理装置から画像処理装置へと常に全ての管理対象情報を配信すること、が示されている。
【先行技術文献】
【特許文献】
【０００４】
【特許文献１】特開２０１１−４１０１２号公報
【発明の概要】
【発明が解決しようとする課題】
【０００５】
しかしながら、常に全ての管理対象情報を画像処理装置へと配信することは、必ずしも効率的ではない。
【０００６】
そこで、本願発明は、管理対象情報を効率的に配信することが可能な技術を提供することを課題とする。
【課題を解決するための手段】
【０００７】
上記課題を解決すべく、請求項１の発明は、情報処理装置であって、前記情報処理装置から配信される管理対象情報の配信先装置である画像処理装置にて実行される特定の動作の実行指令の前記画像処理装置への送信に際して、前記画像処理装置にて実行することが可能な複数の動作のそれぞれと関連付けて管理される複数の管理対象情報のうち前記画像処理装置へと配信されるべき配信情報を決定する決定手段と、前記画像処理装置への前記実行指令の送信に際して、前記決定手段によって決定された前記配信情報を前記画像処理装置に送信して前記画像処理装置に格納させる通信手段と、を備え、前記決定手段は、前記複数の管理対象情報のうち、前記画像処理装置における前記特定の動作の後に前記画像処理装置にて実行されると推定される動作である推定実行動作に関連付けられた管理対象情報であって前記特定の動作の実行指示を付与した指示ユーザに関する管理対象情報を、前記配信情報として決定することを特徴とする。
【０００８】
請求項２の発明は、請求項１の発明に係る情報処理装置において、前記決定手段は、前記複数の管理対象情報のうち、前記推定実行動作として前記特定の動作に応じて予め定められた動作に関連付けられた管理対象情報であって前記指示ユーザに関する管理対象情報を、前記配信情報として決定することを特徴とする。
【０００９】
請求項３の発明は、請求項１または請求項２の発明に係る情報処理装置において、前記通信手段は、前記画像処理装置への前記実行指令の送信に際して、前記画像処理装置におけるジョブの実行状況を前記画像処理装置から受信し、前記決定手段は、前記画像処理装置が前記特定の動作に係るジョブとは別のジョブの実行中である旨が判定される場合、前記実行指令の送信に際して前記配信情報を前記画像処理装置に送信すべきでない旨を決定し、前記画像処理装置が前記特定の動作に係るジョブとは別のジョブの実行中でない旨が判定される場合、前記実行指令の送信に際して前記配信情報を前記画像処理装置に送信すべき旨を決定することを特徴とする。
【００１０】
請求項４の発明は、請求項１から請求項３のいずれかの発明に係る情報処理装置において、前記決定手段は、所定程度よりも高い負荷状態である高負荷状態へと前記画像処理装置が前記特定の動作の実行に起因して遷移するか否か、を前記画像処理装置への前記実行指令の送信に際して判定し、前記画像処理装置が前記高負荷状態へと遷移すると判定される場合、前記実行指令の送信に際して前記配信情報を前記画像処理装置に送信すべきでない旨を決定し、前記画像処理装置が前記高負荷状態へと遷移しないと判定される場合、前記実行指令の送信に際して前記配信情報を前記画像処理装置に送信すべき旨を決定することを特徴とする。
【００１１】
請求項５の発明は、請求項４の発明に係る情報処理装置において、前記特定の動作は、プリントジョブの実行動作であり、前記決定手段は、前記プリントジョブに係る印刷対象データのデータ量が所定値よりも大きい場合、前記特定の動作の実行に起因して前記画像処理装置が前記高負荷状態へと遷移する旨を判定することを特徴とする。
【００１２】
請求項６の発明は、請求項４の発明に係る情報処理装置において、前記特定の動作は、プリントジョブの実行動作であり、前記決定手段は、前記プリントジョブに係る印刷対象データのページ数が所定数よりも多い場合、前記特定の動作の実行に起因して前記画像処理装置が前記高負荷状態へと遷移する旨を判定することを特徴とする。
【００１３】
請求項７の発明は、請求項１から請求項６のいずれかの発明に係る情報処理装置において、前記情報処理装置は、前記複数の管理対象情報を管理する管理装置とは異なる装置であるとともに、前記実行指令の送信元装置であり、前記決定手段は、前記情報処理装置から前記画像処理装置への前記実行指令の送信に際して、前記配信情報を決定し、前記通信手段は、前記情報処理装置から前記画像処理装置への前記実行指令の送信に際して、前記配信情報を前記管理装置から取得して前記画像処理装置に送信することを特徴とする。
【００１４】
請求項８の発明は、請求項７の発明に係る情報処理装置において、前記通信手段は、前記画像処理装置への前記実行指令の送信に際して、前記画像処理装置の電源状態を取得し、前記決定手段は、前記画像処理装置の電源状態が通常状態である場合、前記実行指令を前記配信情報よりも先行して前記画像処理装置に送信すべき旨を決定し、前記画像処理装置の電源状態がスリープ状態である場合、前記配信情報を前記実行指令よりも先行して前記画像処理装置に送信すべき旨を決定することを特徴とする。
【００１５】
請求項９の発明は、請求項１から請求項６のいずれかの発明に係る情報処理装置において、前記情報処理装置は、前記実行指令の送信元装置とは異なる装置であるとともに、前記複数の管理対象情報を管理する管理装置であり、前記通信手段は、前記送信元装置から前記画像処理装置への前記実行指令の送信に際して、前記実行指令を前記送信元装置から前記画像処理装置へと送信する旨の指令送信通知を前記送信元装置から受信し、前記決定手段は、前記送信元装置からの前記指令送信通知に応答して、前記配信情報を決定し、前記通信手段は、前記指令送信通知に応答して、前記決定手段によって決定された前記配信情報を前記画像処理装置に送信することを特徴とする。
【００１６】
請求項１０の発明は、請求項１から請求項９のいずれかの発明に係る情報処理装置において、前記複数の管理対象情報は、ユーザごとに管理されており、前記決定手段は、前記複数の管理対象情報のうち、前記推定実行動作に関連付けられた管理対象情報であって前記指示ユーザの管理対象情報を、前記配信情報として決定することを特徴とする。
【００１７】
請求項１１の発明は、請求項１から請求項９のいずれかの発明に係る情報処理装置において、前記複数の管理対象情報は、グループごとに管理されており、前記決定手段は、前記複数の管理対象情報のうち、前記推定実行動作に関連付けられた管理対象情報であって前記指示ユーザの所属グループの管理対象情報を、前記配信情報として決定することを特徴とする。
【００１８】
請求項１２の発明は、画像処理装置であって、前記画像処理装置における特定の動作の実行に際して、前記画像処理装置にて実行することが可能な複数の動作のそれぞれと関連付けて管理される複数の管理対象情報のうち前記画像処理装置へと配信されるべき配信情報を決定する決定手段と、前記特定の動作の実行に際して、前記決定手段によって決定された前記配信情報の送信要求を管理対象情報の配信元装置に対して送信して前記配信情報を前記配信元装置から取得する通信手段と、取得された前記配信情報を前記画像処理装置に格納する格納手段と、を備え、前記決定手段は、前記複数の管理対象情報のうち、前記特定の動作の後に前記画像処理装置にて実行されると推定される動作である推定実行動作に関連付けられた管理対象情報であって前記特定の動作の実行指示を付与した指示ユーザに関する管理対象情報を、前記配信情報として決定することを特徴とする。
【００１９】
請求項１３の発明は、請求項１２の発明に係る画像処理装置において、前記決定手段は、前記複数の管理対象情報のうち、前記推定実行動作として前記特定の動作に応じて予め定められた動作に関連付けられた管理対象情報であって前記指示ユーザに関する管理対象情報を、前記配信情報として決定することを特徴とする。
【００２０】
請求項１４の発明は、請求項１２の発明に係る画像処理装置において、前記決定手段は、前記複数の動作のうち、前記指示ユーザによる実行指示の付与履歴を有する動作を、前記推定実行動作として決定するとともに、前記管理対象情報のうち、前記推定実行動作として決定された動作に関連付けられた管理対象情報であって前記指示ユーザに関する管理対象情報を、前記配信情報として決定することを特徴とする。
【００２１】
請求項１５の発明は、請求項１２から請求項１４のいずれかの発明に係る画像処理装置において、前記決定手段は、前記特定の動作の実行に際して、前記画像処理装置におけるジョブの実行状況を判定し、前記画像処理装置が前記特定の動作に係るジョブとは別のジョブの実行中である旨が判定される場合、前記特定の動作の実行に際して前記配信情報を取得すべきでない旨を決定し、前記画像処理装置が前記特定の動作に係るジョブとは別のジョブの実行中でない旨が判定される場合、前記特定の動作の実行に際して前記配信情報を取得すべき旨を決定することを特徴とする。
【００２２】
請求項１６の発明は、請求項１２から請求項１５のいずれかの発明に係る画像処理装置において、前記決定手段は、所定程度よりも高い負荷状態である高負荷状態へと前記特定の動作の実行に起因して前記画像処理装置が遷移するか否か、を前記特定の動作の実行に際して判定し、前記画像処理装置が前記高負荷状態へと遷移すると判定される場合、前記特定の動作の実行に際して前記配信情報を取得すべきでない旨を決定し、前記画像処理装置が前記高負荷状態へと遷移しないと判定される場合、前記特定の動作の実行に際して前記配信情報を取得すべき旨を決定することを特徴とする。
【００２３】
請求項１７の発明は、請求項１６の発明に係る画像処理装置において、前記特定の動作は、プリントジョブの実行動作であり、前記決定手段は、前記プリントジョブに係る印刷対象データのデータ量が所定値よりも大きい場合、前記特定の動作の実行に起因して前記画像処理装置が前記高負荷状態へと遷移する旨を判定することを特徴とする。
【００２４】
請求項１８の発明は、請求項１６の発明に係る画像処理装置において、前記特定の動作は、プリントジョブの実行動作であり、前記決定手段は、前記プリントジョブに係る印刷対象データのページ数が所定数よりも多い場合、前記特定の動作の実行に起因して前記画像処理装置が前記高負荷状態へと遷移する旨を判定することを特徴とする。
【００２５】
請求項１９の発明は、請求項１２から請求項１８のいずれかの発明に係る画像処理装置において、前記複数の管理対象情報は、ユーザごとに管理されており、前記決定手段は、前記複数の管理対象情報のうち、前記推定実行動作に関連付けられた管理対象情報であって前記指示ユーザの管理対象情報を、前記配信情報として決定することを特徴とする。
【００２６】
請求項２０の発明は、請求項１２から請求項１８のいずれかの発明に係る画像処理装置において、前記複数の管理対象情報は、グループごとに管理されており、前記決定手段は、前記複数の管理対象情報のうち、前記推定実行動作に関連付けられた管理対象情報であって前記指示ユーザの所属グループの管理対象情報を、前記配信情報として決定することを特徴とする。
【００２７】
請求項２１の発明は、情報処理装置の制御方法であって、ａ）前記情報処理装置から配信される管理対象情報の配信先装置である画像処理装置にて実行される特定の動作の実行指令の前記画像処理装置への送信に際して、前記画像処理装置にて実行することが可能な複数の動作のそれぞれと関連付けて管理される複数の管理対象情報のうち前記画像処理装置へと配信されるべき配信情報を決定するステップと、ｂ）前記画像処理装置への前記実行指令の送信に際して、前記ステップａ）にて決定された前記配信情報を前記画像処理装置に送信して前記画像処理装置に格納させるステップと、を備え、前記ステップａ）においては、前記複数の管理対象情報のうち、前記画像処理装置における前記特定の動作の後に前記画像処理装置にて実行されると推定される動作である推定実行動作に関連付けられた管理対象情報であって前記特定の動作の実行指示を付与した指示ユーザに関する管理対象情報が、前記配信情報として決定されることを特徴とする。
【００２８】
請求項２２の発明は、請求項２１の発明に係る制御方法を、前記情報処理装置を制御するコンピュータに実行させるプログラムであることを特徴とする。
【００２９】
請求項２３の発明は、画像処理装置の制御方法であって、ａ）前記画像処理装置における特定の動作の実行に際して、前記画像処理装置にて実行することが可能な複数の動作のそれぞれと関連付けて管理される複数の管理対象情報のうち前記画像処理装置へと配信されるべき配信情報を決定するステップと、ｂ）前記特定の動作の実行に際して、前記ステップａ）にて決定された前記配信情報の送信要求を管理対象情報の配信元装置に対して送信して前記配信情報を前記配信元装置から取得するステップと、ｃ）前記ステップｂ）にて取得された前記配信情報を前記画像処理装置に格納するステップと、を備え、前記ステップａ）においては、前記複数の管理対象情報のうち、前記特定の動作の後に前記画像処理装置にて実行されると推定される動作である推定実行動作に関連付けられた管理対象情報であって前記特定の動作の実行指示を付与した指示ユーザに関する管理対象情報が、前記配信情報として決定されることを特徴とする。
【００３０】
請求項２４の発明は、請求項２３の発明に係る制御方法を、前記画像処理装置を制御するコンピュータに実行させるプログラムであることを特徴とする。
【００３１】
請求項２５の発明は、情報配信システムであって、情報処理装置と、前記情報処理装置から配信される管理対象情報の配信先装置である画像処理装置と、を備え、前記情報処理装置は、前記画像処理装置にて実行される特定の動作の実行指令の前記画像処理装置への送信に際して、前記画像処理装置にて実行することが可能な複数の動作のそれぞれと関連付けて管理される複数の管理対象情報のうち前記画像処理装置へと配信されるべき配信情報を決定する決定手段と、前記画像処理装置への前記実行指令の送信に際して、前記決定手段によって決定された前記配信情報を前記画像処理装置に送信する通信手段と、を有し、前記画像処理装置は、前記配信情報を前記情報処理装置から受信する受信手段と、前記情報処理装置から受信された前記配信情報を前記画像処理装置に格納する格納手段と、を有し、前記決定手段は、前記複数の管理対象情報のうち、前記画像処理装置における前記特定の動作の後に前記画像処理装置にて実行されると推定される動作である推定実行動作に関連付けられた管理対象情報であって前記特定の動作の実行指示を付与した指示ユーザに関する管理対象情報を、前記配信情報として決定することを特徴とする。
【００３２】
請求項２６の発明は、情報配信システムであって、画像処理装置と、前記画像処理装置へと配信される管理対象情報の配信元装置と、を備え、前記画像処理装置は、前記画像処理装置における特定の動作の実行に際して、前記画像処理装置にて実行することが可能な複数の動作のそれぞれと関連付けて管理される複数の管理対象情報のうち前記画像処理装置へと配信されるべき配信情報を決定する決定手段と、前記特定の動作の実行に際して、前記決定手段によって決定された前記配信情報の送信要求を前記配信元装置に対して送信して前記配信情報を前記配信元装置から取得する通信手段と、取得された前記配信情報を前記画像処理装置に格納する格納手段と、を有し、前記決定手段は、前記複数の管理対象情報のうち、前記特定の動作の後に前記画像処理装置にて実行されると推定される動作である推定実行動作に関連付けられた管理対象情報であって前記特定の動作の実行指示を付与した指示ユーザに関する管理対象情報を、前記配信情報として決定することを特徴とする。
【発明の効果】
【００３３】
請求項１から請求項２６に記載の発明によれば、複数の動作のそれぞれと関連付けて管理される複数の管理対象情報のうち、画像処理装置における特定の動作の後に当該画像処理装置にて実行されると推定される推定実行動作に関連付けられた管理対象情報であって前記特定の動作の実行指示を付与した指示ユーザに関する管理対象情報が、当該画像処理装置へと配信されるべき配信情報として決定される。したがって、管理対象情報を効率的に配信することが可能である。
【００３４】
特に、請求項３および請求項１５に記載の発明によれば、画像処理装置において、特定の動作に係るジョブとは別のジョブが実行中である場合、画像処理装置における特定の動作の実行に際して、配信情報の受信処理および格納処理は当該画像処理装置にて実行されない。そのため、画像処理装置における配信情報の受信処理および格納処理が当該画像処理装置にて実行中のジョブに悪影響を及ぼすこと、が回避される。したがって、画像処理装置にて実行中のジョブへの影響を考慮しつつ、管理対象情報を効率的に配信することが可能である。
【００３５】
また特に、請求項４および請求項１６に記載の発明によれば、画像処理装置における特定の動作の実行に起因して当該画像処理装置が高負荷状態に遷移する場合、画像処理装置における特定の動作の実行に際して、配信情報の受信処理および格納処理は当該画像処理装置にて実行されない。そのため、画像処理装置における配信情報の受信処理および格納処理が特定の動作の実行に悪影響を及ぼすこと、が回避される。したがって、画像処理装置における特定の動作の実行への影響を考慮しつつ、管理対象情報を効率的に配信することが可能である。
【００３６】
また特に、請求項８に記載の発明によれば、画像処理装置の電源状態がスリープ状態である場合、配信情報を特定の動作の実行指令よりも先行して当該画像処理装置に送信すべき旨が決定される。その結果、画像処理装置においては、スリープ状態から当該特定の動作を実行することが可能な状態へと遷移するまでの間に配信情報の格納処理を実行することができる。したがって、画像処理装置における管理対象情報の格納処理を効率的に実行することが可能である。
【図面の簡単な説明】
【００３７】
【図１】情報配信システムを示す図である。
【図２】画像処理装置（ＭＦＰ）の機能ブロックを示す図である。
【図３】情報処理装置（プリントジョブの指示ユーザのコンピュータ）の概略構成を示す機能ブロック図である。
【図４】情報配信システムの概略動作を示す概念図である。
【図５】動作関連テーブルを示す図である。
【図６】推定動作規定テーブルを示す図である。
【図７】情報処理装置（コンピュータ）の動作を示すフローチャートである。
【図８】ＭＦＰの動作を示すフローチャートである。
【図９】第１実施形態の改変例（配信情報の送信順序に関する改変例）に係る情報処理装置（コンピュータ）の動作を示すフローチャートである。
【図１０】第１実施形態の改変例（配信情報の送信条件に関する第１の改変例）に係る情報処理装置（コンピュータ）の動作を示すフローチャートである。
【図１１】第１実施形態の改変例（配信情報の送信条件に関する第２の改変例）に係る情報処理装置（コンピュータ）の動作を示すフローチャートである。
【図１２】第２実施形態に係る情報配信システムの概略動作を示す概念図である。
【図１３】第２実施形態に係るＭＦＰの機能ブロックを示す図である。
【図１４】第２実施形態に係る推定動作規定テーブルを示す図である。
【図１５】指示ユーザによる実行指示履歴を示す図である。
【図１６】ＭＦＰの動作を示すフローチャートである。
【図１７】第２実施形態の改変例（配信情報の取得条件に関する第１の改変例）に係るＭＦＰの動作を示すフローチャートである。
【図１８】第２実施形態の改変例（配信情報の取得条件に関する第２の改変例）に係るＭＦＰの動作を示すフローチャートである。
【発明を実施するための形態】
【００３８】
以下、本発明の実施形態を図面に基づいて説明する。
【００３９】
＜１．第１実施形態＞
＜１−１．構成概要＞
図１は、本発明に係る情報配信システム１を示す図である。図１に示すように、情報配信システム１は、複数のＭＦＰ（マルチ・ファンクション・ペリフェラル（Multi-Functional Peripheral））１０（１０ａ〜１０ｃ）と管理サーバ９０とコンピュータ５０とを備える。
【００４０】
本システム１における各要素１０，５０，９０は、それぞれ、ネットワーク１０８を介して互いに通信可能に接続される。ネットワーク１０８は、ＬＡＮ（Local Area Network）およびインターネットなどによって構成される。また、当該ネットワーク１０８に対する接続態様は、有線接続であってもよく、あるいは無線接続であってもよい。
【００４１】
管理サーバ９０は、複数のＭＦＰ１０とコンピュータ５０とは別に設けられた外部装置（外部サーバ）である。管理サーバ９０は、各ＭＦＰ１０において利用され得る複数の管理対象情報（複数の種類の管理対象情報）をユーザごとに管理する管理装置として機能する。また、管理サーバ９０は、情報配信システム１における管理対象情報の配信元装置としても機能する。
【００４２】
管理対象情報としては、ＭＦＰ１０のタッチパネル２５に表示され得る各種の操作画面（たとえば各種ジョブの設定画面）の画面データ、送信宛先情報、およびブックマーク情報（後述）などが例示される。
【００４３】
ここにおいて、この情報配信システム１では、ユーザは、ＭＦＰ１０のタッチパネル２５（図１）に表示される操作画面（各種ジョブの設定画面）をカスタマイズ（変更）することが可能である。たとえば、ユーザは、コピージョブの設定画面（コピー設定画面）に所望のアイコン（コピージョブの特定の詳細設定に関する詳細設定画面の呼出ボタン等）を追加すること、および／または、各アイコンの配置位置を変更すること等が可能である。ユーザによってカスタマイズされたコピー設定画面の画面データ（コピー設定画面データ）は、カスタマイズを受け付けたＭＦＰ１０から管理サーバ９０へと送信されて、当該ユーザのユーザ識別情報と関連付けて当該管理サーバ９０に格納（管理）される。
【００４４】
また、ユーザは、転送ジョブ（ＭＦＰ１０内のデータを他の装置へと転送するジョブ）における送信宛先情報（たとえば、転送先候補装置のＩＰアドレス）を登録することが可能である。ユーザによって登録された送信宛先情報は、登録操作を受け付けたＭＦＰ１０から管理サーバ９０へと送信されて、当該ユーザのユーザ識別情報と関連付けて当該管理サーバ９０に格納（管理）される。
【００４５】
さらに、ユーザは、ＭＦＰ１０のウエブブラウザ機能を用いて各種ウエブサイトにアクセスする動作（ウエブアクセス動作）に際して、ブックマーク情報（たとえば、特定のアクセス先のＵＲＬ（Uniform Resource Locator））を登録することが可能である。ユーザによって登録されたブックマーク情報は、登録操作を受け付けたＭＦＰ１０から管理サーバ９０へと送信されて、当該ユーザのユーザ識別情報と関連付けて当該管理サーバ９０に格納（管理）される。
【００４６】
このような管理対象情報（各種ジョブの設定画面データ、送信宛先情報およびブックマーク情報等）が、管理サーバ９０においてユーザごとに管理されている。
【００４７】
また、この情報配信システム１では、複数の管理対象情報（複数の種類の管理対象情報）が、コンピュータ５０（各ユーザのコンピュータ５０）において、各ＭＦＰ１０にて実行することが可能な複数の動作（複数の種類の動作）と関連付けて登録されている。
【００４８】
図５は、当該複数の動作と当該複数の動作のそれぞれの実行に際して利用される管理対象情報とを関連付けて登録する動作関連テーブル２００（動作関連情報）を示す図である。
【００４９】
たとえば、当該動作関連テーブル２００においては、各種ジョブ（ここではコピージョブおよびスキャンジョブ）の設定画面データが、当該各種ジョブの実行動作と関連付けて管理されている。具体的には、コピージョブの実行動作とコピー設定画面データ（コピージョブの設定画面の画面データ）とが関連付けて動作関連テーブル２００に登録されている。同様に、スキャンジョブの実行動作とスキャン設定画面データ（スキャンジョブの設定画面の画面データ）とが関連付けて動作関連テーブル２００に登録されている。なお、ＭＦＰ１０が、スキャンジョブにて生成されたスキャンデータを他の装置へと転送する機能（スキャン送信機能）を有する場合は、スキャン設定画面データのみならず、送信宛先情報もが、スキャンジョブの実行動作と関連付けられて動作関連テーブル２００に登録されてもよい。
【００５０】
また、動作関連テーブル２００においては、送信宛先情報が転送ジョブの実行動作と関連付けて登録されている。
【００５１】
さらに、動作関連テーブル２００においては、ブックマーク情報がウエブアクセス動作と関連付けて登録されている。
【００５２】
このように、各種動作とその動作の利用に際して用いられる管理対象情報とが関連付けて動作関連テーブル２００に登録されている。
【００５３】
＜１−２．ＭＦＰの構成＞
図２は、ＭＦＰ１０の機能ブロックを示す図である。
【００５４】
ＭＦＰ１０は、スキャン機能、コピー機能、ファクシミリ機能、ボックス格納機能およびウエブブラウザ機能などを備える装置（複合機とも称する）である。具体的には、ＭＦＰ１０は、図２の機能ブロック図に示すように、画像読取部２、印刷出力部３、通信部４、格納部５、操作部６およびコントローラ（制御部）９等を備えており、これらの各部を複合的に動作させることによって、各種の機能を実現する。なお、ＭＦＰ１０は、画像処理装置あるいは画像形成装置などとも称される。
【００５５】
画像読取部２は、ＭＦＰ１０の所定の位置に載置された原稿を光学的に読み取って（すなわちスキャンして）、当該原稿の画像データ（原稿画像あるいはスキャン画像とも称する）を生成する処理部である。
【００５６】
印刷出力部３は、印刷対象に関するデータ（印刷対象データ）に基づいて紙などの各種の媒体に画像を印刷出力する出力部である。
【００５７】
通信部４は、公衆回線等を介したファクシミリ通信を行うことが可能な処理部である。さらに、通信部４は、ネットワーク１０８を介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（コンピュータ５０および管理サーバ９０等）との間で各種のデータを授受することが可能である。通信部４は、各種データを送信する送信部４ａと各種データを受信する受信部４ｂとを有する。たとえば、受信部４ｂは、複数の管理対象情報のうち、ＭＦＰ１０に配信されるべき配信情報としてコンピュータ５０にて決定された管理対象情報を当該コンピュータ５０から受信する。
【００５８】
格納部５は、ハードディスクドライブ（ＨＤＤ）および半導体メモリ等の記憶装置で構成される。格納部５は、コンピュータ５０から受信された配信情報を格納する。
【００５９】
操作部６は、ＭＦＰ１０に対する操作入力を受け付ける操作入力部６ａと、各種情報の表示出力を行う表示部６ｂとを備えている。
【００６０】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作ユーザからの各種の操作入力を受け付けることが可能である。
【００６１】
コントローラ９は、ＭＦＰ１０に内蔵され、ＭＦＰ１０を統括的に制御する制御装置である。コントローラ９は、ＣＰＵ（Central Processing Unit）（マイクロプロセッサあるいはコンピュータプロセッサなどとも称される）および各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１０にインストールされるようにしてもよい。あるいは、当該プログラムは、ネットワーク１０８等を経由してダウンロードされてＭＦＰ１０にインストールされるようにしてもよい。
【００６２】
具体的には、図２に示すように、コントローラ９は、当該プログラムの実行により、通信制御部１１と入力制御部１２と表示制御部１３と判定部１４とを含む各種の処理部を実現する。
【００６３】
通信制御部１１は、他の装置（コンピュータ５０等）との間の通信動作を通信部４等と協働して制御する処理部である。通信制御部１１は、各種データの送信動作を制御する送信制御部と各種データの受信動作を制御する受信制御部とを有する。
【００６４】
入力制御部１２は、操作入力部６ａ（タッチパネル２５等）に対する操作入力動作を制御する制御部である。たとえば、入力制御部１２は、タッチパネル２５に表示された操作画面に対する操作入力を受け付ける動作を制御する。
【００６５】
表示制御部１３は、表示部６ｂ（タッチパネル２５等）における表示動作を制御する処理部である。
【００６６】
判定部１４は、各種の判定動作を実行する処理部である。
【００６７】
なお、ここでは、主にコントローラ９のＣＰＵにてソフトウエアプログラムを実行することによって、上述の各種の動作が実行されているが、これに限定されず、ＭＦＰ１０（詳細には、コントローラ９の内部あるいは外部）にて設けられた専用ハードウエア等を用いて、上述の各種の動作が実行されるようにしてもよい。たとえば、通信制御部１１、入力制御部１２、表示制御部１３および判定部１４（図２）等の全部または一部が、１または複数の専用ハードウエアを用いて実現されてもよい。
【００６８】
＜１−３．コンピュータ５０の構成＞
図３は、コンピュータ５０の概略構成を示す機能ブロック図である。
【００６９】
コンピュータ５０は、他の装置（管理サーバ９０およびＭＦＰ１０等）との間でのネットワーク通信が可能な情報入出力端末装置（情報処理装置）である。この情報配信システム１においては、各ユーザは、自身のコンピュータ５０を有する。ここでは、コンピュータ５０として、いわゆるパーソナルコンピュータを例示する。ただし、これに限定されず、コンピュータ５０は、タブレット型端末あるいはスマートフォンなどであってもよい。
【００７０】
コンピュータ５０は、図３の機能ブロック図に示すように、通信部５４、格納部５５、操作部５６およびコントローラ（制御部）５９等を備えており、これらの各部を複合的に動作させることによって、各種の機能を実現する。
【００７１】
通信部５４は、ネットワーク１０８を介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、コンピュータ５０は、所望の相手先（管理サーバ９０およびＭＦＰ１０等）との間で各種データの授受を行うことが可能である。通信部５４は、各種データを送信する送信部５４ａと各種データを受信する受信部５４ｂとを有する。
【００７２】
格納部５５は、ハードディスクドライブ（ＨＤＤ）および／または半導体メモリ等の記憶装置で構成される。
【００７３】
操作部５６は、コンピュータ５０に対する操作入力を受け付ける操作入力部５６ａと、各種情報の表示出力を行う表示部５６ｂとを備えている。
【００７４】
図３のコントローラ（制御部）５９は、コンピュータ５０に内蔵され、コンピュータ５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のプログラム（プリンタドライバ等）を実行することによって、各種の処理部を実現する。なお、当該プログラム（詳細にはプログラムモジュール群）は、ＵＳＢメモリなどの可搬性の記録媒体に記録され、当該記録媒体から読み出されてコンピュータ５０にインストールされてもよい。あるいは、当該プログラムは、ネットワーク１０８等を経由してダウンロードされてコンピュータ５０にインストールされるようにしてもよい。
【００７５】
具体的には、コントローラ５９は、当該プログラム等の実行により、通信制御部４１と決定部４２とを含む各種の処理部を実現する。
【００７６】
通信制御部４１は、通信部５４等と協働して、他の装置との通信動作を制御する処理部である。たとえば、通信制御部４１は、通信部５４等と協働して、決定部４２によって決定された配信情報の送信要求を管理サーバ９０に送信して当該配信情報を管理サーバ９０から取得（受信）する。また、通信制御部４１は、通信部５４等と協働して、管理サーバ９０から取得された配信情報をＭＦＰ１０（プリントジョブの送信先装置）に送信（転送）する。コンピュータ５０は、管理対象情報（決定された配信情報）をＭＦＰ１０（コンピュータ５０から配信される管理対象情報の配信先装置）に転送（配信）する転送装置である、とも称される。
【００７７】
決定部４２は、管理サーバ９０にて管理されている複数の管理対象情報のうち、プリントジョブ（印刷実行指令）の送信先のＭＦＰ１０に配信されるべき配信情報を決定する決定処理（配信情報決定処理）等を実行する処理部である。
【００７８】
なお、ここでは、主にコントローラ５９のＣＰＵにてソフトウエアプログラムを実行することによって、上述の各種の動作が実行されているが、これに限定されず、コンピュータ５０（詳細には、コントローラ５９の内部あるいは外部）にて設けられた専用ハードウエア等を用いて、上述の各種の動作が実行されるようにしてもよい。たとえば、通信制御部４１および決定部４２（図３）等の全部または一部が、１または複数の専用ハードウエアを用いて実現されてもよい。
【００７９】
＜１−４．動作＞
図４は、情報配信システム１の概略動作を示す概念図である。
【００８０】
コンピュータ５０は、ユーザ（たとえばユーザＵ１）によるプリントジョブの実行指示を受け付けると、当該プリントジョブ（プリントジョブデータ）の送信先装置（たとえばＭＦＰ１０ａ）への当該プリントジョブの送信に際して、次のような動作を実行する。
【００８１】
具体的には、コンピュータ５０は、管理サーバ９０にて管理されている複数の管理対象情報のうち、ＭＦＰ１０ａにおけるプリントジョブの実行動作の後に当該ＭＦＰ１０ａにて実行されると推定される推定実行動作に関連付けられた管理対象情報であってプリントジョブの指示ユーザＵ１に関する管理対象情報を、当該ＭＦＰ１０ａへと配信されるべき配信情報として決定する。そして、コンピュータ５０は、決定された配信情報を管理サーバ９０から取得し、取得された配信情報とユーザＵ１によるプリントジョブ（プリントジョブデータ）とをＭＦＰ１０ａへと送信する。
【００８２】
その後、ＭＦＰ１０ａは、コンピュータ５０から受信されたプリントジョブ（プリントジョブデータに基づくプリントジョブ）を実行するとともに、コンピュータ５０から受信された配信情報を自装置１０ａに格納する。
【００８３】
＜推定実行動作について＞
このような情報配信システム１の動作の詳細について説明する前に、「推定実行動作」について説明する。
【００８４】
推定実行動作は、ＭＦＰ１０における特定の動作の後に当該ＭＦＰ１０にて実行されると推定される動作である。換言すれば、推定実行動作は、ＭＦＰ１０における特定の動作の後に当該ＭＦＰ１０にて当該特定の動作の指示ユーザからの指示に応じて実行される可能性が一定程度よりも高い動作（高確率実行動作とも称される）である。
【００８５】
具体的には、コンピュータ５０からＭＦＰ１０への実行指令に応じて当該ＭＦＰ１０にて実行される特定の動作の後に当該ＭＦＰ１０にて当該特定の動作の指示ユーザによってどのような動作が実行されるか、が予め推定され、動作ごとの推定実行動作が推定動作規定テーブル３００に予め登録される。図６は、各種動作に応じた推定実行動作を規定する推定動作規定テーブル３００（推定動作規定情報）を示す図である。当該推定動作規定テーブル３００は、コンピュータ５０に格納されている。
【００８６】
ここでは、図６に示されるように、通常プリントジョブ（ＰＣプリントジョブ）に関する推定実行動作として、コピージョブの実行動作とスキャンジョブの実行動作とが推定動作規定テーブル３００に登録されている。なお、通常プリントジョブは、後述する保存プリントジョブにて実行される「格納ジョブ」を伴うものではなく、プリントジョブデータの受信に応答して印刷出力動作を（直ちに）開始するプリントジョブである。
【００８７】
ここにおいて、ユーザは、自身の近傍に存在するＭＦＰ１０へのプリントジョブの実行指示を付与することが多く、プリントジョブの指示ユーザが当該プリントジョブの送信先のＭＦＰ１０（自身の近傍のＭＦＰ１０）を利用する可能性は一定程度よりも高い。また、ＭＦＰ１０において、コピージョブおよびスキャンジョブは、所定程度よりも高い頻度で実行される。なお、コピージョブおよびスキャンジョブは、ＭＦＰ１０において所定程度よりも高い頻度で実行される高頻度実行動作である、とも称される。
【００８８】
これらの点を考慮すると、当該指示ユーザは、プリントジョブの実行後に、当該プリントジョブの送信先のＭＦＰ１０においてコピージョブあるいはスキャンジョブ（プリントジョブ以外の特定ジョブ）の実行指示を付与する可能性が一定程度よりも高い。換言すれば、ＭＦＰ１０における通常プリントジョブの実行後に当該ＭＦＰ１０にて当該指示ユーザからの指示に応じてコピージョブあるいはスキャンジョブが実行されること、が推定される。このような観点から、推定動作規定テーブル３００（図６）においては、コピージョブの実行動作とスキャンジョブの実行動作とが、通常プリントジョブの実行動作に関する推定実行動作として登録される。
【００８９】
また、図６に示されるように、ここでは、保存プリントジョブに関する推定実行動作として、コピージョブの実行動作とスキャンジョブとに加えて、転送ジョブの実行動作もが推定動作規定テーブル３００に登録されている。
【００９０】
保存プリントジョブ（プルプリントジョブとも称される）は、当該保存プリントジョブの送信先のＭＦＰ１０の操作部にて印刷開始指示を受け付けるまで印刷対象データ（印刷対象ファイル）を当該ＭＦＰ１０に格納しておく「格納ジョブ」を伴うプリントジョブである。当該保存プリントジョブの実行指示がコンピュータ５０にて付与された場合、ＭＦＰ１０においては、当該格納ジョブによって印刷対象ファイルが当該ＭＦＰ１０に格納された後、当該保存プリントジョブの指示ユーザからの印刷開始指示（ＭＦＰ１０の操作部を用いた印刷開始指示）に応じて当該印刷対象ファイルの印刷出力動作が実行される。
【００９１】
保存プリントジョブの実行指示が付与された場合、当該保存プリントジョブの送信先のＭＦＰ１０において、保存プリントジョブにて当該ＭＦＰ１０に格納された印刷対象ファイルが、当該保存プリントジョブの指示ユーザからの指示に応じて他の装置に転送されることもある。そのため、保存プリントジョブの実行指示が付与された場合、当該保存プリントジョブの指示ユーザによるコピージョブの利用可能性およびスキャンジョブの利用可能性のみならず、当該指示ユーザによる転送ジョブの利用可能性もが一定程度よりも高い。換言すれば、ＭＦＰ１０における保存プリントジョブの実行後に当該ＭＦＰ１０にて当該指示ユーザからの指示に応じてコピージョブ、スキャンジョブあるいは転送ジョブが実行されること、が推定される。このような観点から、推定動作規定テーブル３００（図６）においては、コピージョブの実行動作およびスキャンジョブの実行動作のみならず、転送ジョブの実行動作もが、保存プリントジョブに関する推定実行動作として登録される。
【００９２】
このように、コンピュータ５０においては、各種の動作ごとに推定実行動作が予め登録されている。
【００９３】
＜情報配信システム１の詳細動作について＞
さて、本システム１の詳細動作について、以下に説明する。
【００９４】
まず、コンピュータ５０は、ログイン画面（不図示）においてユーザ（ここではユーザＵ１）によるユーザ識別情報（ユーザＩＤ等）およびパスワードの入力操作を受け付け、ログイン処理を実行する。
【００９５】
その後、コンピュータ５０は、複数のＭＦＰ１０のうちユーザＵ１（コンピュータ５０のログインユーザ）によって指定されたＭＦＰ１０のプリンタドライバを起動し、ユーザＵ１の所望の印刷対象データに関するプリントジョブの設定操作を受け付ける。ここでは、複数のＭＦＰ１０ａ〜１０ｃのうちＭＦＰ１０ａが、プリントジョブ（プリントジョブデータ（印刷実行指令および印刷対象データ））の送信先装置としてユーザＵ１によって指定される。そして、コンピュータ５０は、ＭＦＰ１０ａ向けのプリントジョブ（ここでは通常プリントジョブ）の設定操作を受け付ける。
【００９６】
図７は、コンピュータ５０の動作（管理対象情報の配信に関する動作）を示すフローチャートである。コンピュータ５０は、プリンタドライバ（いずれかのＭＦＰ１０のプリンタドライバ）の起動に応答して、図７の動作を開始する。
【００９７】
具体的には、コンピュータ５０は、プリントジョブの実行開始指示（たとえば、プリントジョブの設定画面（不図示）内の「印刷開始」ボタンの押下操作）を受け付ける（ステップＳ１１）（図４も参照）と、処理をステップＳ１１からステップＳ１２へと進める。
【００９８】
ステップＳ１２においては、コンピュータ５０は、複数のＭＦＰ１０のうち、管理対象情報の配信先装置を決定するとともに、複数の管理対象情報のうち、プリントジョブの送信先装置（管理対象情報の配信先装置）へと配信されるべき配信情報を決定する。
【００９９】
具体的には、まず、コンピュータ５０は、複数のＭＦＰ１０のうち、プリントジョブの送信先装置（ここではＭＦＰ１０ａ）を、管理対象情報の配信先装置として決定する。換言すれば、複数のＭＦＰ１０のうち、プリントジョブの後に当該プリントジョブの指示ユーザＵ１によって利用される可能性が一定程度よりも高いＭＦＰ１０が、管理対象情報の配信先装置として決定される。
【０１００】
そして、コンピュータ５０は、管理対象情報の配信先装置として決定されたＭＦＰ１０（ここではＭＦＰ１０ａ）へと配信されるべき配信情報を決定する。
【０１０１】
具体的には、コンピュータ５０は、複数の管理対象情報のうち、プリントジョブの実行動作に関する推定実行動作に関連付けられた管理対象情報であって当該プリントジョブの実行指示を付与した指示ユーザＵ１の管理対象情報を、配信情報として決定する（図４も参照）。
【０１０２】
たとえば、通常プリントジョブの実行指示が受け付けられた場合、コンピュータ５０は、まず、推定動作規定テーブル３００（図６）に基づいて、複数の動作のうち、プリントジョブに関する推定実行動作として予め定められた動作（ここでは、コピージョブの実行動作およびスキャンジョブの実行動作）を特定する。そして、コンピュータ５０は、動作関連テーブル２００（図５）に基づいて、複数の管理対象情報のうち、当該推定実行動作（コピージョブの実行動作およびスキャンジョブの実行動作）に関連付けられた管理対象情報（コピー設定画面データおよびスキャン設定画面データ）を、ＭＦＰ１０ａへの配信情報として決定する。換言すれば、複数の種類の管理対象情報のうち、当該推定実行動作に関連付けられた種類の管理対象情報が、ＭＦＰ１０ａへと配信されるべき配信情報の種類として決定される。
【０１０３】
さらに、コンピュータ５０は、管理サーバ９０にてユーザごとに管理される管理対象情報（複数のユーザの管理対象情報）のうち、プリントジョブの指示ユーザＵ１の管理対象情報を、配信情報として決定する。具体的には、コンピュータ５０は、複数の種類の管理対象情報の中から決定された種類の配信情報に関してユーザごとに管理される管理対象情報（複数のユーザの管理対象情報）のうち、ユーザＵ１の管理対象情報を、ＭＦＰ１０ａへと配信されるべき配信情報として決定する。ここでは、ユーザＵ１のコピー設定画面データとユーザＵ１のスキャン設定画面データとが、ＭＦＰ１０ａへの配信情報として決定される。
【０１０４】
なお、保存プリントジョブの実行指示が受け付けられた場合は、複数の管理対象情報のうち、保存プリントジョブの実行動作に関する推定実行動作に関連付けられた管理対象情報（ユーザＵ１の管理対象情報）が、配信情報として決定される。具体的には、複数の管理対象情報のうち、ユーザＵ１のコピー設定画面データとユーザＵ１のスキャン設定画面データとユーザＵ１用の送信宛先情報（転送ジョブの実行動作に関連付けられた送信宛先情報）とが、ＭＦＰ１０ａへの配信情報として決定される。
【０１０５】
以下では、通常プリントジョブの実行指示が受け付けられたものとして、説明を続ける。
【０１０６】
配信情報が決定されると、処理はステップＳ１２からステップＳ１３へと進む。
【０１０７】
ステップＳ１３においては、コンピュータ５０は、決定された配信情報（ここでは、ユーザＵ１のコピー設定画面データおよびユーザＵ１のスキャン設定画面データ）を管理サーバ９０から取得する（図４も参照）。
【０１０８】
具体的には、コンピュータ５０は、決定された配信情報の送信要求およびユーザＵ１のユーザ識別情報を管理サーバ９０に送信する。そして、管理サーバ９０は、当該ユーザ識別情報に基づいてユーザＵ１を特定し、複数の管理対象情報のうち、配信情報として決定された管理対象情報であってユーザＵ１の管理対象情報をコンピュータ５０に送信する。これにより、コンピュータ５０は、ユーザＵ１のコピー設定画面データとユーザＵ１のスキャン設定画面データとを管理サーバ９０から取得する（ステップＳ１３）。
【０１０９】
なお、決定された配信情報が常に取得されるのではなく、決定された配信情報の更新日時（タイムスタンプ）が管理サーバ９０とＭＦＰ１０ａとの双方にコンピュータ５０から問い合わせられ、管理サーバ９０内の配信情報と同じ配信情報（同じ更新日時の配信情報）がＭＦＰ１０ａ内に格納されていないことを条件に、配信情報が取得されてもよい。
【０１１０】
決定された配信情報（ここでは、ユーザＵ１のコピー設定画面データおよびユーザＵ１のスキャン設定画面データ）が管理サーバ９０から取得される（ステップＳ１３）と、コンピュータ５０は、取得された配信情報とプリントジョブ（プリントジョブデータ）とをＭＦＰ１０ａに送信する（ステップＳ１６）（図４も参照）。なお、ここでは、プリントジョブと配信情報とが、プリントジョブ、配信情報の順で逐次的にＭＦＰ１０ａへと送信される。
【０１１１】
そして、ＭＦＰ１０ａにおいては、プリントジョブ（プリントジョブデータ）がコンピュータ５０から受信され、当該プリントジョブ（プリントジョブデータ）の後に配信情報がコンピュータ５０から受信される。また、ＭＦＰ１０ａにおいては、当該プリントジョブ（プリントジョブデータに基づくプリントジョブ）が実行されるとともに、当該配信情報の格納処理（更新処理）が実行される。
【０１１２】
このように、コンピュータ５０からＭＦＰ１０ａへのプリントジョブ（印刷実行指令）の送信に際して、複数の管理対象情報のうち当該プリントジョブの実行後に当該ＭＦＰ１０ａにて実行されると推定される推定実行動作に関連付けられた管理対象情報であって指示ユーザＵ１の管理対象情報が、当該ＭＦＰ１０ａへの配信情報として決定される（ステップＳ１２）。そして、決定された配信情報が、管理サーバ９０から取得されてＭＦＰ１０ａへと配信（転送）される（ステップＳ１３，Ｓ１４）。
【０１１３】
なお、その後、ＭＦＰ１０ａにおいては、図８のような動作が実行される。図８は、ＭＦＰ１０（ここではＭＦＰ１０ａ）の動作を示すフローチャートである。
【０１１４】
具体的には、ＭＦＰ１０ａは、ログイン画面（不図示）においてユーザ（たとえばユーザＵ１）によるユーザ識別情報およびパスワードの入力操作を受け付ける。そして、ＭＦＰ１０ａは、当該入力操作に応じてユーザＵ１のログインを受け付ける（ステップＳ３１）と、処理をステップＳ３１からステップＳ３２へと進め、入力されたユーザ識別情報に基づいてログインユーザ（Ｕ１）を特定する。
【０１１５】
その後、ＭＦＰ１０ａは、或る動作（ジョブ）の利用開始指示を受け付ける（ステップＳ３３）。たとえば、ログイン後のトップメニュー画面（不図示）においてコピージョブの設定画面への遷移指示が受け付けられると、ＭＦＰ１０ａは、コピージョブ（コピージョブの実行動作）の利用開始指示を受け付ける。そして、処理はステップＳ３３からステップＳ３４へと進む。
【０１１６】
ステップＳ３４においては、ＭＦＰ１０ａは、コピージョブにて利用される管理対象情報であってログインユーザ（Ｕ１）用の管理対象情報（ここでは、ユーザＵ１のコピー設定画面データ）が自装置１０ａ内に存在するか否か、を判定する。
【０１１７】
たとえば、ユーザＵ１のコピー設定画面データはＭＦＰ１０ａに格納されている場合、ログインユーザ用の管理対象情報が自装置内に存在する旨がステップＳ３４にて判定される。ここでは、上述のようにしてユーザＵ１によるプリントジョブとともにＭＦＰ１０ａへと送信（配信）されたユーザＵ１のコピー設定画面データがＭＦＰ１０ａに格納されており、ログインユーザ用の管理対象情報が自装置内に存在する旨がステップＳ３４にて判定される。そして、処理はステップＳ３４からステップＳ３５へと進み、ＭＦＰ１０ａは、自装置１０ａに格納されているユーザＵ１のコピー設定画面データに基づいて、ユーザＵ１用のコピー設定画面をタッチパネル２５に表示する。
【０１１８】
一方、仮にユーザＵ１がＭＦＰ１０ａへのプリントジョブの実行指示を一度も付与したことが無い場合等には、ユーザＵ１のコピー設定画面データはＭＦＰ１０ａに格納されておらず、ログインユーザ用の管理対象情報が自装置内に存在しない旨がステップＳ３４にて判定される。そして、処理はステップＳ３４からステップＳ３６へと進む。
【０１１９】
ステップＳ３６においては、ＭＦＰ１０ａは、ログインユーザＵ１用の管理対象情報（ここでは、ユーザＵ１のコピー設定画面データ）を管理サーバ９０から取得する。具体的には、ＭＦＰ１０ａは、ログインユーザＵ１用の管理対象情報（コピー設定画面データ）の送信要求を管理サーバ９０に送信し、当該管理対象情報を管理サーバ９０から受信して取得する。そして、ＭＦＰ１０ａは、取得されたユーザＵ１のコピー設定画面データに基づいてコピー設定画面を表示する。なお、ここでは、ログインユーザ用の管理対象情報がＭＦＰ１０に格納されていない場合、管理サーバ９０からの取得処理が実行されているが、これに限定されず、ログインユーザ用の管理対象情報がＭＦＰ１０に格納されていない場合、当該取得処理に代えて、共通画面（デフォルト画面）の表示処理が実行されてもよい。
【０１２０】
＜１−５．第１実施形態の効果＞
以上のように、第１実施形態では、複数の管理対象情報のうち、ＭＦＰ１０ａにおける特定の動作（たとえば、プリントジョブの実行動作）の後に当該ＭＦＰ１０ａにて実行されると推定される推定実行動作に関連付けられた管理対象情報であって当該特定の動作の指示ユーザＵ１に関する管理対象情報が、当該ＭＦＰ１０ａへと配信されるべき配信情報として決定される（ステップＳ１２）。そして、ＭＦＰ１０ａへのプリントジョブ（印刷実行指令）の送信に際して、決定された配信情報が当該ＭＦＰ１０ａへと配信されて（ステップＳ１３）ＭＦＰ１０ａに格納される。換言すれば、全ての管理対象情報（全てのユーザに関する全ての種類の管理対象情報）が当該ＭＦＰ１０ａに常に配信されるのではなく、複数の管理対象情報のうち、ＭＦＰ１０ａにおけるプリントジョブの実行後に当該ＭＦＰ１０ａにて指示ユーザＵ１によって利用される可能性が一定程度よりも高い管理対象情報が、当該ＭＦＰ１０ａに配信される。その結果、全ての管理対象情報がＭＦＰ１０ａへと常に配信される場合と比較して、ＭＦＰ１０ａへと配信される管理対象情報のデータ量が低減され得る。したがって、管理対象情報を効率的に配信することが可能である。
【０１２１】
また、情報配信システム１内の複数のＭＦＰ１０（ここではＭＦＰ１０ａ〜１０ｃ）の全てに対して管理対象情報が一斉に配信されるのではなく、複数のＭＦＰ１０のうち、プリントジョブの送信先装置（たとえばＭＦＰ１０ａ）に対して管理対象情報が配信される。具体的には、たとえばユーザＵ１がＭＦＰ１０ａに対するプリントジョブの実行指示を付与した場合、当該ユーザＵ１による当該ＭＦＰ１０ａの利用可能性は、ユーザＵ１による他のＭＦＰ１０ｂ，１０ｃの利用可能性よりも高い。このようなＭＦＰ１０（プリントジョブの指示ユーザによって利用される可能性が一定程度よりも高いＭＦＰ１０（ここではＭＦＰ１０ａ））に対して、管理対象情報が配信される。そのため、全てのＭＦＰ１０に対して管理対象情報が一斉に配信される場合と比較して、管理サーバ９０における負荷集中が抑制され得る。このような観点においても、管理対象情報を効率的に配信することが可能である。
【０１２２】
ここにおいて、管理サーバ９０における負荷集中を抑制する技術として、ＭＦＰ１０本体にユーザがログインしたタイミングで当該ＭＦＰ１０がログインユーザの管理対象情報を管理サーバ９０から取得すること（比較例に係る技術とも称する）、が考えられる。ただし、この比較例に係る技術では、ログインユーザの管理対象情報が管理サーバ９０から取得されるまで、ログインユーザは当該管理対象情報に関する操作を開始することができない（待機することを要する）。その結果、ユーザの作業効率が低下する。
【０１２３】
これに対して、上記第１実施形態では、ＭＦＰ１０ａへのユーザＵ１によるプリントジョブの送信に際して、当該プリントジョブの後に実行されると推定される動作（プリントジョブ以外の特定ジョブ（ここでは、コピージョブおよびスキャンジョブ））に関連付けられた管理対象情報が、コンピュータ５０から当該ＭＦＰ１０ａに配信されて格納される。換言すれば、ＭＦＰ１０ａにおいてプリントジョブの後にユーザＵ１による指示に応じて実行される可能性が一定程度よりも高い特定ジョブ（コピージョブあるいはスキャンジョブ）にて利用される管理対象情報が、その利用に先立って（事前に）ＭＦＰ１０ａに配信されて格納される。その結果、プリントジョブの送信後にユーザＵ１がＭＦＰ１０ａにログインして当該特定ジョブの設定操作等を開始する際には、当該特定ジョブに関するユーザＵ１の管理対象情報はＭＦＰ１０ａ内に既に格納されている。そのため、ログインユーザＵ１は、当該管理対象情報に関する操作を直ちに開始することができる。換言すれば、ログインユーザＵ１は、上記比較例に係る技術のように自身の管理対象情報の取得を待機することを要しない。したがって、ユーザの作業効率の低下を抑制しつつ、管理対象情報を効率的に配信することが可能である。
【０１２４】
＜１−６．第１実施形態の改変例＞
＜配信情報の送信順序に関する改変例＞
なお、上記第１実施形態において、さらに、プリントジョブの送信先のＭＦＰ１０（１０ａ）の電源状態に応じて、配信情報とプリントジョブとの送信順序が決定されてもよい。
【０１２５】
図９は、この改変例に係るコンピュータ５０の動作を示すフローチャートである。この改変例では、図７のステップＳ１４に代えて、ステップＳ４１〜Ｓ４３の処理が実行される。なお、図９のステップＳ１１〜Ｓ１３の処理は、図７のステップＳ１１〜Ｓ１３の処理と同様である。
【０１２６】
具体的には、ステップＳ１３の後において、コンピュータ５０は、プリントジョブの送信先装置（ここではＭＦＰ１０ａ）の電源状態（電力状態）を当該送信先装置（ＭＦＰ１０ａ）に対して問い合わせて取得する（ステップＳ４１）。ＭＦＰ１０ａは、コンピュータ５０からの問合せに応答して、自装置１０ａの電源状態を当該コンピュータ５０に送信する。なお、ＭＦＰ１０がスリープ状態を有する場合であっても、当該ＭＦＰ１０の通信部４（図２）への通電（給電）は維持されており、通信部４は、ＭＦＰ１０のスリープ中において、電源状態の問合せの受信処理および問合せ結果の送信処理（ＭＦＰ１０のＣＰＵによる動作を伴わない通信処理）を実行することが可能である。
【０１２７】
そして、コンピュータ５０は、当該ＭＦＰ１０ａの電源状態に基づいて、配信情報とプリントジョブとの送信順序を決定する（ステップＳ４２）。
【０１２８】
ここにおいて、スリープ状態（通常状態での消費電力よりも小さい消費電力で動作する電力状態）を有するＭＦＰ１０にてプリントジョブが受信されると、当該ＭＦＰ１０は、スリープ状態から通常状態（プリントジョブを実行することが可能な状態）への復帰処理（定着部のウォームアップ処理等）を実行する。そして、ＭＦＰ１０は、通常状態への復帰完了に応答して、受信されたプリントジョブの実行動作を開始する。
【０１２９】
また、通常状態（プリントジョブを実行することが可能な状態）を有するＭＦＰ１０においてプリントジョブが受信されると、当該ＭＦＰ１０は、（他のジョブの実行中でないことを条件として、）受信されたプリントジョブの実行動作を直ちに開始する。
【０１３０】
これらの点を考慮して、プリントジョブ（印刷実行指令）の送信時におけるＭＦＰ１０ａの電源状態に応じて、配信情報とプリントジョブとの送信順序が決定される。
【０１３１】
たとえば、プリントジョブの送信に際してＭＦＰ１０ａがスリープ状態を有する場合、スリープ状態からプリントジョブの実行可能状態（通常状態）へと遷移するまでの間に（ウォームアップ処理中に）当該ＭＦＰ１０ａにて配信情報の格納処理が実行されるように、配信情報とプリントジョブとの送信順序が決定される。具体的には、ＭＦＰ１０ａの電源状態がスリープ状態である場合、コンピュータ５０は、配信情報をプリントジョブよりも先行してＭＦＰ１０ａに送信すべき旨をステップＳ４２にて決定する。
【０１３２】
そして、処理はステップＳ４２からステップＳ４３へと進み、コンピュータ５０は、決定された送信順序に従って、まずは配信情報をＭＦＰ１０ａに送信し、配信情報の送信後にプリントジョブをＭＦＰ１０ａに送信する。
【０１３３】
その後、ＭＦＰ１０ａにおいては、配信情報の受信に応答してスリープ状態から通常状態への復帰処理が開始され、復帰処理の実行中（スリープ状態からプリントジョブの実行可能状態への移行中）に、コンピュータ５０から受信された配信情報の格納処理が実行される。そして、当該復帰処理の完了（通常状態への復帰）に応答して、ＭＦＰ１０ａは、配信情報の受信後にコンピュータ５０から受信されたプリントジョブを実行する。
【０１３４】
一方、プリントジョブの送信に際してＭＦＰ１０ａが通常状態を有する場合、当該プリントジョブがＭＦＰ１０ａにてより早期に開始される（より早期に完了する）ように、配信情報とプリントジョブとの送信順序が決定される。具体的には、ＭＦＰ１０ａの電源状態が通常状態である場合、コンピュータ５０は、プリントジョブを配信情報よりも先行してＭＦＰ１０ａに送信すべき旨をステップＳ４２にて決定する。
【０１３５】
そして、処理はステップＳ４２からステップＳ４３へと進み、コンピュータ５０は、決定された送信順序に従って、まずはプリントジョブをＭＦＰ１０ａに送信し、プリントジョブの送信後に配信情報をＭＦＰ１０ａに送信する。
【０１３６】
その後、ＭＦＰ１０ａにおいては、プリントジョブの受信に応答して当該プリントジョブの実行が開始されるとともに、当該プリントジョブの受信後にコンピュータ５０から受信された配信情報の格納処理が実行される。
【０１３７】
このように、プリントジョブの送信先のＭＦＰ１０の電源状態（プリントジョブの送信時における電源状態）に応じて、配信情報とプリントジョブ（印刷実行指令）との送信順序が決定されてもよい。
【０１３８】
これによれば、プリントジョブの送信先のＭＦＰ１０がスリープ状態を有する場合、配信情報をプリントジョブ（印刷実行指令）よりも先行して当該ＭＦＰ１０ａに送信すべき旨が決定される（ステップＳ４２）。その結果、当該ＭＦＰ１０ａにおいては、スリープ状態からプリントジョブの実行可能状態へと遷移するまでの間に（ウォームアップ処理中に）配信情報の格納処理を実行することができる。したがって、プリントジョブの送信先のＭＦＰ１０（１０ａ）における管理対象情報の格納処理を効率的に実行することが可能である。
【０１３９】
＜配信情報の送信条件に関する第１の改変例＞
また、上記第１実施形態等において、さらに、プリントジョブの送信先装置（たとえばＭＦＰ１０ａ）におけるジョブの実行状況に応じて、決定された配信情報（管理サーバ９０から取得された配信情報）の送信許否（転送許否）が判定されてもよい。
【０１４０】
図１０は、この改変例に係るコンピュータ５０の動作を示すフローチャートを示す図である。図１０に示されるように、この改変例では、図７のステップＳ１１〜Ｓ１４の処理に加えて、ステップＳ５１〜Ｓ５４の処理が実行される。
【０１４１】
具体的には、ステップＳ１２にて決定された配信情報が管理サーバ９０から取得される（ステップＳ１３）と、処理はステップＳ５１へと進み、コンピュータ５０は、プリントジョブの送信先装置（ここではＭＦＰ１０ａ）がジョブ（当該プリントジョブとは別のジョブ）の実行中であるか否か、を判定する。より具体的には、コンピュータ５０は、ＭＦＰ１０ａへのプリントジョブの送信に際して、当該ＭＦＰ１０ａにおけるジョブの実行状況を当該ＭＦＰ１０ａに対して問い合わせて取得（受信）する。そして、当該ＭＦＰ１０ａが他のジョブの実行中であるか否か、が判定される。
【０１４２】
たとえば、ＭＦＰ１０ａが他のジョブの実行中である旨がステップＳ５１にて判定される場合、処理はステップＳ５１からステップＳ５３へと進み、コンピュータ５０は、プリントジョブの送信に際して配信情報をＭＦＰ１０ａに送信すべきでない旨を決定する。そして、処理はステップＳ５３からステップＳ５４へと進む。
【０１４３】
ステップＳ５４においては、コンピュータ５０は、決定された配信情報（管理サーバ９０から取得された配信情報）をＭＦＰ１０ａへと送信（配信）せず、プリントジョブ（のみ）をＭＦＰ１０ａに送信する。そして、ＭＦＰ１０ａにおいては、配信情報の受信処理および格納処理は実行されず、たとえばＭＦＰ１０ａにて実行中のジョブの完了後に、コンピュータ５０から受信されたプリントジョブが実行される。
【０１４４】
一方、ＭＦＰ１０ａがジョブの実行中でない旨がステップＳ５１にて判定される場合、処理はステップＳ５１からステップＳ５２へと進み、コンピュータ５０は、プリントジョブの送信に際して配信情報をＭＦＰ１０ａに送信すべき旨を決定する。そして、処理はステップＳ１４へと進み、上記第１実施形態と同様に、プリントジョブと配信情報とがＭＦＰ１０ａに送信される。なお、ＭＦＰ１０ａにおいてジョブが存在しない場合のみならず、ＭＦＰ１０ａにおいて一時停止中のジョブが存在する場合においても、ＭＦＰ１０ａがジョブの実行中でない旨が判定されるものとする。
【０１４５】
このように、プリントジョブの送信時におけるＭＦＰ１０ａ（プリントジョブの送信先装置）におけるジョブの実行状況に応じて、配信情報の送信許否が決定されてもよい。
【０１４６】
これによれば、プリントジョブの送信に際してＭＦＰ１０ａが別のジョブの実行中である旨が判定される場合、当該プリントジョブの送信に際して配信情報をＭＦＰ１０ａに送信すべきでない旨が決定される（ステップＳ５３）。その結果、別のジョブの実行中において配信情報の受信処理および格納処理がＭＦＰ１０ａにて実行されず、当該ＭＦＰ１０ａにおける当該受信処理および格納処理がＭＦＰ１０ａにて実行中のジョブに悪影響を及ぼすこと、が回避される。たとえば、配信情報の受信処理および格納処理の実行に起因するＭＦＰ１０ａのＣＰＵの負荷増大によってＭＦＰ１０ａにおけるジョブ（実行中のジョブ）の処理速度が低下すること、が回避される。したがって、ＭＦＰ１０（１０ａ）にて実行中のジョブへの影響を考慮しつつ、管理対象情報を効率的に配信することが可能である。
【０１４７】
なお、ここでは、管理サーバ９０からの配信情報の取得処理（ステップＳ１３）の後において、ＭＦＰ１０におけるジョブの実行状況の判定処理（ステップＳ５１）が実行されているが、これに限定されない。たとえば、配信情報の取得処理（ステップＳ１３）の前（ステップＳ１１とステップＳ１２との間、あるいはステップＳ１２とステップＳ１３との間）において、ＭＦＰ１０におけるジョブの実行状況の判定処理（ステップＳ５１）が実行されてもよい。
【０１４８】
また、ここでは、プリントジョブの送信に際して配信情報をＭＦＰ１０ａに送信すべきでない旨がステップＳ５３にて決定された場合、配信情報がＭＦＰ１０ａに送信されることなく図１０の動作が終了しているが、これに限定されない。たとえば、プリントジョブの送信に際して配信情報をＭＦＰ１０ａに送信すべきでない旨がステップＳ５３にて決定された場合、プリントジョブの送信（ステップＳ５４）後にＭＦＰ１０ａにおけるジョブの実行状況が再判定され、ＭＦＰ１０ａにて実行中のジョブが存在しない旨が判定されたことに応じて、配信情報がＭＦＰ１０ａへと送信されてもよい。
【０１４９】
＜配信情報の送信条件に関する第２の改変例＞
また、上記第１実施形態等において、さらに、コンピュータ５０からのプリントジョブの実行に起因してＭＦＰ１０ａ（当該プリントジョブの送信先装置）が高負荷状態（所定程度よりも高い負荷状態）へと遷移するか否かに応じて、当該ＭＦＰ１０ａへの配信情報の送信許否（転送許否）が判定されてもよい。
【０１５０】
図１１は、この改変例に係るコンピュータ５０の動作を示すフローチャートである。図１１に示されるように、この改変例では、図７のステップＳ１１〜Ｓ１４の処理に加えて、ステップＳ６１，Ｓ６２〜Ｓ６４の処理が実行される。
【０１５１】
具体的には、決定された配信情報が管理サーバ９０から取得される（ステップＳ１３）と、処理はステップＳ６１へと進み、コンピュータ５０は、プリントジョブに係る印刷対象データのデータ量に基づいて、プリントジョブの実行に起因してＭＦＰ１０ａが高負荷状態に遷移するか否か、を判定する。
【０１５２】
たとえば、印刷対象データのデータ量が所定値（所定量）よりも大きい場合、コンピュータ５０は、プリントジョブの実行に起因してＭＦＰ１０ａが高負荷状態へと遷移する旨をステップＳ６１にて判定する。そして、処理はステップＳ６１からステップＳ６３へと進み、コンピュータ５０は、配信情報をＭＦＰ１０ａへと送信すべきでない旨を決定する。この場合、配信情報はコンピュータ５０からＭＦＰ１０ａへと送信（配信）されず、プリントジョブ（のみ）がＭＦＰ１０ａに送信される（ステップＳ６４）。
【０１５３】
一方、印刷対象データのデータ量が所定値よりも小さい場合、コンピュータ５０は、（コンピュータ５０からのプリントジョブが実行されたとしても）ＭＦＰ１０ａは高負荷状態へと遷移しない旨をステップＳ６１にて判定する。そして、処理はステップＳ６１からステップＳ６２へと進み、コンピュータ５０は、配信情報をＭＦＰ１０ａへと送信すべき旨を決定する。この場合、上記第１実施形態と同様に、プリントジョブと配信情報とがコンピュータ５０からＭＦＰ１０ａへと送信される（ステップＳ１４）。
【０１５４】
このように、コンピュータ５０からのプリントジョブの実行に起因してＭＦＰ１０ａ（プリントジョブの送信先装置）が高負荷状態へと遷移するか否かに応じて、決定された配信情報の送信許否が決定されてもよい。
【０１５５】
これによれば、ＭＦＰ１０ａにおけるプリントジョブの実行動作に起因してＭＦＰ１０ａが高負荷状態へと遷移する旨が判定される場合、配信情報をＭＦＰ１０ａに送信すべきでない旨が決定される（ステップＳ６３）。その結果、ＭＦＰ１０ａにおけるプリントジョブの実行に際して配信情報の受信処理および格納処理が当該ＭＦＰ１０ａにて実行されず、当該ＭＦＰ１０ａにおける当該受信処理および格納処理が当該プリントジョブの実行に悪影響を及ぼすこと、が回避される。たとえば、配信情報の受信処理および格納処理の実行に起因するＭＦＰ１０ａのＣＰＵの負荷増大によってＭＦＰ１０ａにおけるプリントジョブ（コンピュータ５０からのプリントジョブ）の処理速度が低下すること、が回避される。したがって、ＭＦＰ１０（１０ａ）における特定の動作（ここではプリントジョブの実行動作）への影響を考慮しつつ、管理対象情報を効率的に配信することが可能である。
【０１５６】
なお、ここでは、印刷対象データのデータ量が所定値よりも大きい場合に、プリントジョブの実行に起因してＭＦＰ１０ａが高負荷状態へと遷移する旨が判定されている（ステップＳ６１）が、これに限定されない。たとえば、印刷対象データのページ数が所定数よりも多い場合に、プリントジョブの実行に起因してＭＦＰ１０ａが高負荷状態へと遷移する旨が判定されてもよい。
【０１５７】
また、ここでは、プリントジョブの送信に際して配信情報をＭＦＰ１０ａに送信すべきでない旨がステップＳ６３にて決定された場合、配信情報がＭＦＰ１０ａに送信されることなく図１１の動作が終了しているが、これに限定されない。たとえば、プリントジョブの送信に際して配信情報をＭＦＰ１０ａに送信すべきでない旨がステップＳ６３にて決定された場合、当該プリントジョブの実行が完了したか否かが判定され、当該プリントジョブの実行が完了した旨がＭＦＰ１０ａからの完了通知等に基づき判定されたことに応じて、配信情報がＭＦＰ１０ａへと送信されてもよい。
【０１５８】
さらに、配信情報の送信条件に関する上記第１の改変例と第２の改変例とが組み合わされてもよい。具体的には、ＭＦＰ１０ａへのプリントジョブの送信に際して、当該ＭＦＰ１０ａが他のジョブの実行中であるか否かが判定される（ステップＳ５１）とともに、当該プリントジョブの実行に起因して当該ＭＦＰ１０ａが高負荷状態へと遷移するか否かもが判定される（ステップＳ６１）。そして、たとえば、ＭＦＰ１０ａが他のジョブの実行中である旨が判定される場合は、配信情報をＭＦＰ１０ａに送信すべきでない旨が決定される（ステップＳ５３）。また、ＭＦＰ１０ａが高負荷状態へと遷移する旨が判定される場合も、配信情報をＭＦＰ１０ａに送信すべきでない旨が決定される（ステップＳ６３）。これに対して、ＭＦＰ１０ａが他のジョブの実行中ではない旨が判定され且つＭＦＰ１０ａが高負荷状態へと遷移しない旨が判定される場合に、配信情報をＭＦＰ１０ａに送信すべき旨が決定される。
【０１５９】
＜第１実施形態に関するその他の改変例＞
さらに、上記第１実施形態等では、プリントジョブの実行指示が受け付けられた後（配信情報の決定処理（ステップＳ１２）の直後）において、配信情報の取得処理（ステップＳ１３）が実行されているが、これに限定されない。
【０１６０】
たとえば、プリントジョブの実行指示が受け付けられる（ステップＳ１１）前の所定のタイミングにおいて（事前に）、配信情報の取得処理（ステップＳ１３）が実行されてもよい。具体的には、コンピュータ５０は、当該所定のタイミングにおいて、自装置５０のユーザ（たとえばユーザＵ１）の全ての管理対象情報を管理サーバ９０から取得する。そして、コンピュータ５０は、プリントジョブの実行指示（ステップＳ１１）に応答して配信情報の決定処理（ステップＳ１２）を実行した後、管理サーバ９０から予め取得されたユーザＵ１の全ての管理対象情報のうち、ステップＳ１２にて決定された配信情報を抽出（取得）してＭＦＰ１０ａへと送信する（ステップＳ１４）。なお、当該所定のタイミングとしては、プリントジョブの送信先装置（ここではＭＦＰ１０ａ）のプリンタドライバの起動指示の付与時点、あるいは、プリントジョブの設定画面の表示開始時点等が例示される。
【０１６１】
また、上記第１実施形態では、プリントジョブの実行指示を受け付けたコンピュータ５０において、当該プリントジョブの送信先装置（たとえばＭＦＰ１０ａ）へと配信されるべき配信情報が決定されている（ステップＳ１２）が、これに限定されない。たとえば、管理サーバ９０において、当該配信情報が決定されてもよい。なお、管理サーバ９０が、配信情報の決定処理を実行する決定部等を有するとともに、動作関連テーブル２００（図５）と推定動作規定テーブル３００（図６）とを有するものとする。
【０１６２】
具体的には、コンピュータ５０は、ＭＦＰ１０ａへのプリントジョブの送信に際して、プリントジョブ（印刷実行指令）を自装置５０からＭＦＰ１０ａへと送信する旨の指令送信通知を管理サーバ９０へと送信する。管理サーバ９０は、当該指令送信通知をコンピュータ５０から受信し、当該指令送信通知の受信に応答して、複数の管理対象情報のうち、プリントジョブ（たとえば通常プリントジョブ）に関する推定実行動作に関連付けられた管理対象情報を、当該プリントジョブの送信先装置（ＭＦＰ１０ａ）へと配信されるべき配信情報として決定する。そして、管理サーバ９０は、決定された配信情報を直接的に（コンピュータ５０を介さずに）当該ＭＦＰ１０ａに送信（配信）する。
【０１６３】
このように、管理サーバ９０によって配信情報が決定されてもよい。
【０１６４】
＜２．第２実施形態＞
第２実施形態は、第１実施形態の変形例である。以下では、第１実施形態との相違点を中心に説明する。
【０１６５】
上記第１実施形態では、コンピュータ５０が、ＭＦＰ１０（プリントジョブの送信先装置）へと配信されるべき配信情報を決定している（ステップＳ１２（図７））。
【０１６６】
これに対して、この第２実施形態では、ＭＦＰ１０自身が、自装置１０へと配信されるべき配信情報を決定する。
【０１６７】
この第２実施形態では、配信情報の決定処理を実行する決定部１５（図１３）が、ＭＦＰ１０に設けられている。なお、図１３は、第２実施形態に係るＭＦＰ１０の機能ブロックを示す図である。
【０１６８】
また、図１２は、第２実施形態に係る情報配信システム１の概略動作を示す概念図である。ここでは、第１実施形態と同様に、ユーザＵ１のコンピュータ５０からＭＦＰ１０ａに対してプリントジョブ（ここでは通常プリントジョブ）が送信される状況を想定する。
【０１６９】
具体的には、まず、コンピュータ５０は、ユーザ（ここではユーザＵ１）による印刷開始指示に応じて、プリントジョブをＭＦＰ１０ａに送信する。
【０１７０】
ＭＦＰ１０ａにおいては、プリントジョブが受信される（図１２も参照）と、図１６の動作が開始される。図１６は、ＭＦＰ１０の動作を示すフローチャートである。なお、ここでは、ＭＦＰ１０ａにて図１６のフローチャートの各処理が実行される態様が例示されるが、他のＭＦＰ１０（ＭＦＰ１０ｂ，１０ｃ）においても、同様の動作が実行され得る。
【０１７１】
具体的には、ＭＦＰ１０ａは、コンピュータ５０から受信されたプリントジョブの実行を開始する（ステップＳ２１）とともに、処理をステップＳ２１からステップＳ２２へと進める。
【０１７２】
ステップＳ２２においては、ＭＦＰ１０ａは、自装置１０ａにおけるプリントジョブの実行に際して（プリントジョブの受信直後において）、管理サーバ９０にて管理される複数の管理対象情報のうち、自装置１０ａへと配信されるべき配信情報を決定する。なお、図１６のステップＳ２２（配信情報の決定処理）の処理内容は、図７のステップＳ２２の処理内容（第１実施形態参照）と同様である。
【０１７３】
具体的には、ＭＦＰ１０ａは、動作関連テーブル２００（図５）と推定動作規定テーブル３１０（図１４）とに基づいて、複数の管理対象情報のうち、プリントジョブ（通常プリントジョブ）の実行動作に関する推定実行動作に関連付けられた管理対象情報（指示ユーザＵ１の管理対象情報）を、配信情報として決定する（図１２も参照）。ここでは、ユーザＵ１のコピー設定画面データとユーザＵ１のスキャン設定画面データとが、ＭＦＰ１０ａへの配信情報として決定される。
【０１７４】
なお、図１４は、第２実施形態に係る推定動作規定テーブル３１０を示す図である。図１４に示されるように、この第２実施形態では、コピージョブの実行動作に関する推定実行動作およびスキャンジョブの実行動作に関する推定実行動作もが推定動作規定テーブル３１０に登録されている。この点に関しては、後述する。
【０１７５】
ＭＦＰ１０ａへの配信情報がステップＳ２２にて決定されると、処理はステップＳ２３へと進む。
【０１７６】
ステップＳ２３においては、ＭＦＰ１０ａは、決定された配信情報（ここではユーザＵ１のコピー設定画面データおよびユーザＵ１のスキャン設定画面データ）の送信要求を管理サーバ９０に送信して当該配信情報を管理サーバ９０から取得する（図１２も参照）。
【０１７７】
そして、ＭＦＰ１０ａは、管理サーバ９０から取得（配信）された配信情報（ユーザＵ１のコピー設定画面データおよびユーザＵ１のスキャン設定画面データ）を自装置１０ａに格納する（ステップＳ２４）（図１２も参照）。
【０１７８】
このように、ＭＦＰ１０ａは、自装置１０ａにおける特定の動作（ここではプリントジョブの実行動作）に際して、複数の管理対象情報のうち、当該プリントジョブの後に自装置１０ａにて実行されると推定される推定実行動作に関連付けられた管理対象情報であって当該プリントジョブの指示ユーザＵ１に関する管理対象情報を、自装置１０ａへと配信されるべき配信情報として決定する（ステップＳ２２）。そして、ＭＦＰ１０ａは、自装置１０ａにおける特定の動作に際して、決定された配信情報を管理サーバ９０から取得して自装置１０ａに格納する（ステップＳ２３，Ｓ２４）。
【０１７９】
なお、ここでは、ＭＦＰ１０ａにてプリントジョブ（コンピュータ５０からの実行指令に基づくジョブ）が実行されているが、ＭＦＰ１０の操作部を用いた実行指示に基づく動作（コピージョブ、スキャンジョブ等）が実行される場合においても、同様にして、配信情報の決定処理等（ステップＳ２２〜Ｓ２４）が実行される。
【０１８０】
ここにおいて、ユーザは、自身の近傍に存在するＭＦＰ１０においてコピージョブの実行指示を付与することが多く、或るＭＦＰ１０にてコピージョブの実行指示を付与した指示ユーザが当該或るＭＦＰ１０（自身の近傍のＭＦＰ１０）を再び利用する可能性は一定程度よりも高い。また、上述したように、ＭＦＰ１０において、スキャンジョブ（およびコピージョブ）は、所定程度よりも高い頻度で実行される。
【０１８１】
これらの点を考慮すると、当該指示ユーザは、或るＭＦＰ１０でのコピージョブの実行後に、当該或るＭＦＰ１０にてスキャンジョブ（コピージョブ以外の特定ジョブ）の実行指示を付与する可能性が一定程度よりも高い。換言すれば、ＭＦＰ１０におけるコピージョブの実行後に当該ＭＦＰ１０にて当該コピージョブの指示ユーザからの実行指示に応じてスキャンジョブが実行されること、が推定される。このような観点から、第２実施形態に係る推定動作規定テーブル３１０（図１４）においては、スキャンジョブの実行動作が、コピージョブの実行動作に関する推定実行動作として登録される。なお、コピージョブにて利用されるコピー設定画面データは、今回のコピージョブの設定画面への遷移指示等に応じてＭＦＰ１０に既に格納されている。そのため、コピー設定画面データをコピージョブの実行動作に際して再度取得すること、は必ずしも要しない。この点を考慮して、ここでは、コピージョブ以外のジョブの実行動作が、コピージョブに関する推定実行動作として推定動作規定テーブル３１０に登録される。
【０１８２】
スキャンジョブについても同様である。具体的には、ＭＦＰ１０におけるスキャンジョブの実行後にコピージョブが当該ＭＦＰ１０にて実行されること、が推定され、コピージョブの実行動作が、スキャンジョブの実行動作に関する推定実行動作として推定動作規定テーブル３１０（図１４）に登録される。
【０１８３】
さて、たとえばコピージョブの実行指示がＭＦＰ１０ａのログインユーザによって付与された（ステップＳ２１）場合、複数の管理対象情報のうち、コピージョブに関する推定実行動作に関連付けられた管理対象情報（ログインユーザの管理対象情報）が、配信情報として決定される（ステップＳ２２）。具体的には、複数の管理対象情報のうち、スキャンジョブの実行動作に関連付けられたスキャン設定画面データ（ログインユーザＵ１のスキャン設定画面データ）が、配信情報として決定される。そして、決定された配信情報が管理サーバ９０から取得されてＭＦＰ１０ａに格納される（ステップＳ２３，Ｓ２４）。
【０１８４】
なお、ここでは、コピージョブの実行指示が付与された（ステップＳ２１）直後において、配信情報の決定処理等（ステップＳ２２〜Ｓ２４）が実行されているが、これに限定されない。たとえば、コピージョブの実行指示が付与される直前（たとえば設定操作中）において、配信情報の決定処理等（ステップＳ２２〜Ｓ２４）が実行されてもよい。
【０１８５】
＜第２実施形態の改変例＞
＜配信情報の決定処理に関する改変例＞
なお、上記第２実施形態においては、推定動作規定テーブル３１０（図１４）に基づいて、推定実行動作が特定（決定）されているが、これに限定されない。
【０１８６】
たとえば、特定の動作（たとえば、プリントジョブの実行動作）の指示ユーザによる実行指示の付与履歴に基づいて、推定実行動作が特定（決定）されてもよい。
【０１８７】
具体的には、ユーザによる実行指示の付与履歴を有する動作は、当該ユーザによってその実行指示が再び付与される可能性が比較的（実行指示の付与履歴を有しない動作よりも）高い。
【０１８８】
この改変例では、このような動作（指示ユーザによる実行指示の付与履歴を有する動作）に関連付けられた管理対象情報が、ＭＦＰ１０へと配信されるべき配信情報として決定される。逆に言えば、指示ユーザによる実行指示の付与履歴を有しない動作（指示ユーザによる実行指示が付与される可能性が比較的低い動作）に関連付けられた管理対象情報は、当該配信情報として決定されない。
【０１８９】
具体的には、コンピュータ５０からプリントジョブ（ユーザＵ１によって付与されたプリントジョブ）が受信された場合、図１６のステップＳ２２においては、ＭＦＰ１０（１０ａ）は、複数の動作のうち、指示ユーザＵ１による実行指示の付与履歴を有する動作を、プリントジョブに関する推定実行動作として決定する。
【０１９０】
たとえば、コピージョブの実行動作とウエブアクセス動作とが、ユーザＵ１による実行指示の付与履歴を有する（図１５参照）場合、ＭＦＰ１０ａは、複数の動作のうち、コピージョブの実行動作とウエブアクセス動作とを推定実行動作として決定する。
【０１９１】
そして、ＭＦＰ１０ａは、複数の管理対象情報のうち、当該推定実行動作として決定された動作に関連付けられた管理対象情報であってユーザＵ１の管理対象情報を、配信情報として決定する。ここでは、複数の管理対象情報のうち、コピージョブの実行動作に関連付けられた管理対象情報（ユーザＵ１のスキャン設定画面データ）とウエブアクセス動作に関連付けられた管理対象情報（ユーザＵ１用のブックマーク情報）とが、配信情報として決定される（ステップＳ２２）。
【０１９２】
このように、特定の動作の指示ユーザによる実行指示の付与履歴を有する動作に関連付けられた管理対象情報が、配信情報として決定されてもよい。
【０１９３】
＜配信情報の取得条件に関する第１の改変例＞
また、上記第２実施形態等において、さらに、ＭＦＰ１０（１０ａ）におけるジョブの実行状況に応じて、配信情報の取得許否が判定されてもよい。
【０１９４】
図１７は、この改変例に係るＭＦＰ１０（１０ａ）の動作を示すフローチャートを示す図である。図１７に示されるように、この改変例では、図１６のステップＳ２１〜Ｓ２４の処理に加えて、ステップＳ７１〜Ｓ７３の処理が実行される。
【０１９５】
具体的には、特定の動作（たとえばプリントジョブの実行動作）がＭＦＰ１０ａにて行われる（ステップＳ２１）と、処理はステップＳ２１からステップＳ７１へと進み、ＭＦＰ１０ａは、自装置１０ａがジョブ（当該プリントジョブとは別のジョブ）の実行中であるか否か、を判定する。
【０１９６】
たとえば、ＭＦＰ１０ａが他のジョブの実行中である旨がステップＳ７１にて判定される場合、処理はステップＳ７１からステップＳ７３へと進み、ＭＦＰ１０ａは、プリントジョブの実行に際して配信情報を管理サーバ９０から取得すべきでない旨を決定する。この場合、配信情報は管理サーバ９０から取得されず、図１７の動作は終了する。
【０１９７】
一方、ＭＦＰ１０ａが他のジョブの実行中でない旨がステップＳ７１にて判定される場合、処理はステップＳ７１からステップＳ７２へと進み、ＭＦＰ１０ａは、プリントジョブの送信に際して配信情報を管理サーバ９０から取得すべき旨を決定する。そして、処理はステップＳ２２以降へと進む。なお、ステップＳ２２以降の処理は、上記第２実施形態（図１６）と同様である。
【０１９８】
このように、特定の動作の実行時のＭＦＰ１０（１０ａ）におけるジョブの実行状況に応じて、配信情報の取得許否が決定されてもよい。
【０１９９】
なお、ここでは、特定の動作の実行に際して配信情報を取得すべきでない旨がステップＳ７３にて決定された場合、配信情報が管理サーバ９０から取得されることなく図１７の動作が終了しているが、これに限定されない。たとえば、特定の動作の実行に際して配信情報を取得すべきでない旨がステップＳ７３にて決定された場合、ＭＦＰ１０ａにおけるジョブの実行状況が再判定され、ＭＦＰ１０ａにて実行中のジョブが存在しない旨が判定されたことに応じて、配信情報が管理サーバ９０から取得されてもよい。
【０２００】
＜配信情報の取得条件に関する第２の改変例＞
また、上記第２実施形態等において、さらに、ＭＦＰ１０（１０ａ）における特定の動作の実行に起因して当該ＭＦＰ１０（１０ａ）が高負荷状態へと遷移するか否かに応じて、配信情報の取得許否が判定されてもよい。
【０２０１】
図１８は、この改変例に係るＭＦＰ１０の動作を示すフローチャートである。図１８に示されるように、この改変例では、図１６のステップＳ２１〜Ｓ２４の処理に加えて、ステップＳ８１〜Ｓ８３の処理が実行される。
【０２０２】
具体的には、特定の動作（プリントジョブの実行動作）がＭＦＰ１０ａにて行われる（ステップＳ２１）と、処理はステップＳ２１からステップＳ８１へと進み、ＭＦＰ１０ａは、プリントジョブに係る印刷対象データのデータ量に基づいて、当該プリントジョブの実行動作に起因して自装置１０ａが高負荷状態に遷移するか否か、を判定する。
【０２０３】
たとえば、印刷対象データのデータ量が所定値よりも大きい場合、ＭＦＰ１０ａは、プリントジョブの実行に起因して自装置１０ａが高負荷状態へと遷移する旨をステップＳ８１にて判定する。そして、処理はステップＳ８１からステップＳ８３へと進み、ＭＦＰ１０ａは、配信情報を取得すべきでない旨を決定する。この場合、配信情報は管理サーバ９０から取得されず、図１８の動作は終了する。
【０２０４】
一方、印刷対象データのデータ量が所定値よりも小さい場合、ＭＦＰ１０ａは、（プリントジョブが実行されたとしても）自装置１０ａは高負荷状態へと遷移しない旨をステップＳ８１にて判定する。そして、処理はステップＳ８１からステップＳ８２へと進み、ＭＦＰ１０ａは、配信情報を取得すべき旨を決定し（ステップＳ８２）、処理をステップＳ２２以降へと進める。なお、ステップＳ２２以降の処理は、上記第２実施形態（図１６）と同様である。
【０２０５】
このように、特定の動作の実行に起因してＭＦＰ１０（１０ａ）が高負荷状態へと遷移するか否かに応じて、配信情報の取得許否が決定されてもよい。
【０２０６】
なお、ここでは、印刷対象データのデータ量が所定値よりも大きい場合に、プリントジョブの実行に起因してＭＦＰ１０ａが高負荷状態へと遷移する旨が判定されている（ステップＳ８１）が、これに限定されない。たとえば、印刷対象データのページ数が所定数よりも多い場合に、プリントジョブの実行に起因してＭＦＰ１０ａが高負荷状態へと遷移する旨が判定されてもよい。
【０２０７】
また、ここでは、特定の動作の実行に際して配信情報を取得すべきでない旨がステップＳ８３にて決定された場合、配信情報が管理サーバ９０から取得されることなく図１８の動作が終了しているが、これに限定されない。たとえば、特定の動作の実行に際して配信情報を取得すべきでない旨がステップＳ８３にて決定された場合、当該特定の動作（プリントジョブ等）の実行が完了したか否かが判定され、当該特定の動作の実行が完了した旨が判定されたことに応じて、配信情報が管理サーバ９０から取得されてもよい。
【０２０８】
また、配信情報の取得条件に関する上記第１の改変例と第２の改変例とが組み合わされてもよい。具体的には、ＭＦＰ１０ａにおける特定の動作（ここではプリントジョブ）の実行に際して、当該ＭＦＰ１０ａが他のジョブの実行中であるか否かが判定される（ステップＳ７１）とともに、当該プリントジョブの実行に起因して当該ＭＦＰ１０ａが高負荷状態へと遷移するか否かもが判定される（ステップＳ８１）ようにしてもよい。そして、ＭＦＰ１０ａが他のジョブの実行中である旨が判定される場合は、配信情報を取得すべきでない旨が決定される（ステップＳ７３）。また、ＭＦＰ１０ａが高負荷状態へと遷移する旨が判定される場合も、配信情報を取得すべきでない旨が決定される（ステップＳ８３）。これに対して、ＭＦＰ１０ａが他のジョブの実行中ではない旨が判定され且つＭＦＰ１０ａが高負荷状態へと遷移しない旨が判定される場合に、配信情報を取得すべき旨が決定される。
【０２０９】
＜３．変形例等＞
以上、この発明の実施の形態について説明したが、この発明は上記内容のものに限定されるものではない。
【０２１０】
たとえば、上記各実施形態等においては、管理サーバ９０において、複数の管理対象情報がユーザごとに管理されているが、これに限定されず、複数の管理対象情報がグループごとに管理されていてもよい。なお、「グループ」としては、企業内における部署あるいは企業等において実施されるプロジェクトのプロジェクトチームなどが例示される。
【０２１１】
具体的には、ステップＳ１２（あるいはステップＳ２２）においては、複数の管理対象情報のうち、特定の動作に関する推定実行動作に関連付けられた管理対象情報であって当該特定の動作の指示ユーザの所属グループ（所属部署あるいは参加プロジェクトチーム等）に関連付けられた管理対象情報が、配信情報として決定されてもよい。なお、指示ユーザの所属グループは、コンピュータ５０（あるいはＭＦＰ１０）へのログインに際して入力されたグループ識別情報（グループＩＤ等）に基づき特定されてもよい。また、指示ユーザが複数のグループに属する場合は、当該指示ユーザの複数の所属グループのそれぞれの管理対象情報が配信情報として決定されてもよい。
【０２１２】
このように、複数の管理対象情報が、グループごとに管理されていてもよい。
【符号の説明】
【０２１３】
１  情報配信システム
１０，１０ａ〜１０ｃ  ＭＦＰ（画像処理装置）
５０  コンピュータ
９０  管理サーバ
２００  動作関連テーブル
３００，３１０  推定動作規定テーブル
【図１】
2019096951.tif 000003
【図２】
2019096951.tif 000004
【図３】
2019096951.tif 000005
【図４】
2019096951.tif 000006
【図５】
2019096951.tif 000007
【図６】
2019096951.tif 000008
【図７】
2019096951.tif 000009
【図８】
2019096951.tif 000010
【図９】
2019096951.tif 000011
【図１０】
2019096951.tif 000012
【図１１】
2019096951.tif 000013
【図１２】
2019096951.tif 000014
【図１３】
2019096951.tif 000015
【図１４】
2019096951.tif 000016
【図１５】
2019096951.tif 000017
【図１６】
2019096951.tif 000018
【図１７】
2019096951.tif 000019
【図１８】
2019096951.tif 000020